(57)【要約】【課題】本発明は、適応性のある視覚的な目印を使用して、対象者の視覚的な感度をテストおよび／またはトレーニングする。【解決手段】  視覚的な特性を有する少なくとも１つの視覚的目印を対象者に表示する。  視覚的な特性を有する、表示される視覚的目印は、対象者が知覚できるときとできないときを判定するように調整することができる。表示される視覚的な目印は、そのサイズ、動きの速度、移動方向、表示の位置、表示時間又は他の特徴に関して調整することができる対象者が表示される視覚的目印の有する視覚的特性を正しく知覚したかどうかを判定し、対象者からの入力を受信できる。受信される入力が表示される視覚的目印の有する視覚的特性に応答している場合、対象者が、表示される視覚的目印及びその特性を正しく知覚していると判定されることができる。【選択図】図２Ｂ
2013500836.tif 000002
【特許請求の範囲】
【請求項１】
視覚的テストおよび／またはトレーニングのためのシステムであって、
当該システムは、
;少なくとも第１期間中、少なくとも１つの視覚的目印を与えることができる表示装置であって、少なくとも１つの前記目印は少なくとも１つの視覚的な特性を有する表示装置と、
;前記表示装置に実行可能に接続される制御ユニットであって、前記表示装置が少なくとも１つの視覚的特性を有する少なくとも１つの視覚的目印を、少なくとも第１期間中に与えるように実行でき、与えられる前記目印のサイズを第１期間中に変更させる制御ユニット、
;そして  個人が知覚した目印の特性と、与えられた目印の有する特性とを示す個人からの入力を第１期間中に一度に受信することができる入力装置であって、受信された入力を制御ユニットに送信するために、当該制御ユニットに実行可能に接続される入力装置、
を備えているシステム。
【請求項２】
対象者の視覚的な感度をテストおよび／またはトレーニングするための方法であって、
当該方法は、
; (a)  対象者に視覚的な特性を有する視覚的な目印を表示することであって、表示される当該視覚的目印を、最初、対象者が知覚するためには小さすぎるようにするステップと
; (b)  表示される視覚的な目印のサイズを増加させるステップと
; (c)  対象者が視覚的目印の有する視覚的な特性を知覚したことを指示する対象者からの入力を受信するステップであって、当該入力は、対象者が知覚した視覚的な特性に依存しているステップと
; (d)  入力が視覚的目印の有する視覚的な特性に応答しているかどうかを判定するために、表示される視覚的目印の有する視覚的な特性を、対象者から受信する入力と比較するステップと
; (e)  入力が対象者から受信されたときの目印のサイズと、入力が視覚的目印の有する視覚的な特性に応答しているかどうかを記憶するステップと
を備えている方法。
【請求項３】
請求項２に記載の、対象者の視覚的な感度をテストおよび／またはトレーニングするための方法であって、
さらに、既定の回数、ステップ(a)-(e)を反復して繰り返すステップを含む方法。
【請求項４】
請求項３に記載の、対象者の視覚的な感度をテストおよび／またはトレーニングするための方法であって、
さらに、視覚的目印の有する視覚的特性に応答する入力を対象者から与えられたときに、目印の平均サイズを計算するステップを含む方法。
【請求項５】
請求項２に記載の、対象者の視覚的な感度をテストおよび／またはトレーニングするための方法であって、
さらに、視覚的目印の有する視覚的な特性に応答する入力が既定数に達するまで、ステップ(a)-(e)を反復して繰り返すステップを含む方法。
【請求項６】
請求項５に記載の、対象者の視覚的な感度をテストおよび／またはトレーニングするための方法であって、
さらに、視覚的目印の有する視覚的な特性に応答する入力が対象者から与えられたときに、目印の平均サイズを計算するステップを含む方法。
【請求項７】
請求項２に記載の、対象者の視覚的な感度をテストおよび／またはトレーニングするための方法であって、
さらに、視覚的目印の有する視覚的な特性に応答して受信される入力が、表示される視覚的目印の与えられたサイズで、一貫して発生するまで、ステップ(a)-(e)を反復して繰り返すステップを含む方法。
【請求項８】
請求項７に記載の、対象者の視覚的な感度をテストおよび／またはトレーニングするための方法であって、
視覚的目印の有する視覚的な特性に応答して受信される入力が、表示される視覚的目印の与えられたサイズで、一貫して発生するまで、ステップ(a)-(e)を反復して繰り返すステップは、
関連する視覚的目印サイズの範囲を定義するステップと
対象者が視覚的目印の有する視覚的特性に応答する入力を各繰り返しに対して与えたときの目印のサイズを比較し、定義された関連する視覚的目印サイズの範囲内に含まれるパーセンテージがどのくらいかを判定するステップと
；所定数の繰り返しの後、これら繰り返しの既定のパーセンテージが定義された関連する目印サイズの範囲内に含まれるとき、その後、対象者が正しく視覚的目印を知覚したことを指示する入力が、その範囲内での表示される視覚的目印のサイズに対応する表示される視覚的目印の与えられたサイズで一貫して生じているかどうかを判定するステップと
を備えている方法。
【請求項９】
対象者の視力をテストするための視覚的感度のテストおよび／またはトレーニングシステムであって、
視覚的感度のテストおよび／またはトレーニングシステムは、
：個人によって視覚的に知覚されるように向けられた表示装置
；個人からの複数の想定入力の１つを実行可能に、与えられた任意の時間で受信することができる入力装置と
；表示装置と入力装置に実行可能に接続された制御ユニットとを備え
当該制御ユニットは、少なくとも１つのコンピュータ読み取り媒体を備え、
当該コンピュータ読み取り媒体上では、テスト用ユニットで実行されるコンピュータ読み取り命令を具現化し、当該コンピュータ読み取り命令は、制御ユニットが：表示装置を操作して当該表示装置が複数の視覚的目印を順次表示するようにし、複数の視覚的目印はそれぞれ、入力装置を操作して受信される複数の入力に対応する複数の視覚的特性の１つを有し、複数の視覚的目印のそれぞれを、第１のサイズを有する第１の時間で最初に表示し、
入力装置からの入力を受信し、各入力は、入力装置を操作して受信される複数の入力の１つであり、
制御ユニットが入力装置からの入力を受信し、または、表示される視覚的目印のサイズが既定の閾値を越えるまで、表示装置を操作して、当該表示装置が、順次表示される複数の視覚的目印のそれぞれのサイズを増大させるようにし、
；入力装置から受信した入力が、当該入力が受信されたときに入力装置上に表示される視覚的目印の視覚的な特性に応答するかどうかを判定し、
；入力が受信されたときに表示装置上に表示される視覚的目印のサイズを判定し、
表示装置上に表示される視覚的目印の視覚的特性に対応する入力が受信されたかどうかを保存し
；入力が入力装置から受信されたときに表示される視覚的目印のサイズを保存する
制御ユニットを備えているシステム。
【発明の詳細な説明】
【技術分野】
【０００１】
本発明は、対象者の視覚的な感度のテストおよび／またはトレーニングに関するものである。
【０００２】
さらに詳細には、本発明は、静止視力および／または動体視力のような、対象者の視覚的な感度をテストするために、適応性のある視覚的目印を使用することに関するものである。
【発明の背景】
【０００３】
個人の視力を正確に評価することは、複数の目的に対して重要である。
【０００４】
もちろん、対象者の視力の正確な評価は、個人に対して上手に矯正めがねを処方するための必須条件である。
【０００５】
また、単一のチャート上に多数の目印が混雑することは、凝視の不安定な個人に対して基本的な静止視力と関係しない困難さを引き起こす可能性がある。
【０００６】
さらに、典型的な視力検査表の配列は、提示される目印が対象者に関して変化しないので、個人の静止視力だけを検査する。
【０００７】
運転や体育活動の参加のような、実生活の状態では、対象者に対して対象物又は目印が動いているときの動体視力が個人の効果的な活動に重要になる。
【０００８】
しかしながら、従来の視力検査表評価は、対象者の動体視力を計測することができない。
【０００９】
視覚的な検査だけでなく、視覚的な訓練は、ある用途では有用であることが知られている一方、効果的かつ効率的に実施することが困難であった。
【００１０】
しばしば、視覚的テストおよび視覚的トレーニングは、類似または同一の装置および／または方法を使用する場合がある。
【発明の概要】
【課題を解決するための手段】
【００１１】
本発明は、適応性のある視覚的な目印を使用することによって対象者の視覚的な感度のテストおよび／またはトレーニングを可能にする。
【００１２】
本発明によれば、適応性のある目印は、静止視力のような、視覚的なを使用することによって対象者の視覚的な感度のテストおよび／またはトレーニングを可能にする。
【００１３】
例えば、目印は、対象者に対して表示装置上に、対象者が視覚的に正しく知覚できない初期サイズで提示させることができる。
【００１４】
目印をそれから、対象者が目印を正しく知覚するまで、増大させることができる。
【００１５】
一連の目印を提示するとともに、これら目印が正しく知覚できるときの対象者からの応答を受信することによって、対象者の静止視力の正確な評価を、視覚的テストおよび／またはトレーニングの一部として行うことができる。
【００１６】
対象者に提示される視覚的目印は、視覚的特性を有することができる。
【００１７】
例えば、提示される視覚的目印は、左、右、上または下の向きを有するランドルト環とすることができる。
【００１８】
個人が提示されるランドルト環の向きを知覚するとき、個人は、テストシステムに入力を与えることができる。
【００１９】
例えば、個人は、ジョイスティックを、視覚的目印として提示されるランドルト環の向きに対応する方向に押すことができる。
【００２０】
さらなる実施形態によれば、個人は、マルチタッチデバイスを使用することができ、感応式タッチスクリーンを、提示されるランドルト環の向きに対応する方向に「ストローク」する。
【００２１】
知覚されたランドルト環の向きを個人が正しく入力する時点でのランドルト環のサイズを関連付けることによって、個人の視力は、視覚的テストおよび／またはトレーニングの一部として測定することができる。
【００２２】
本発明によれば、対象者の動体視力は、視覚的テストおよび／またはトレーニングの一部として、同様に評価することができる。
【００２３】
目印は、表示装置を率の変化するスピードで横切って対象者の視野内を移動することができる。
【００２４】
対象者は、各視覚的目印に対して、対象者が正しく目印を知覚するかどうかを指示することができる。
【００２５】
例えば、提示される動く目印はそれぞれ、特性を持つことができ、対象者は、その特性に対する当該対象者の知覚を基にした入力を与えることができる。
【００２６】
表示される動く目印スピードおよび／または方向を変更し、かつ、対象者の正しい応答が正しい応答が与えられた間の目印のスピードおよび／または方向に関係する関連付けることによって、対象者の動体視力の評価を行うことができる。
【００２７】
対象者の動体視力をテストおよび／またはトレーニングするとき、動く目印の有する視覚的な特性は、固定または変更させることができる。
【００２８】
例えば、動くランドルト環は、その向きを、表示装置上に表示される時間全体に亘って維持することができる。
【００２９】
代替的に、ランドルト環は、表示装置を横切って動くとき、その指向する向きを変えることで、「タンブル」することができる。
【００３０】
対象者の応答はそのとき、入力が受信された時点または直前でのランドルト環の向きに関連付けることができ、または、代替的に、視覚的若しくは他の感覚的な指示を、表示装置を横切る目印の動きのどの時点で、個人が視覚的な目印およびその特性にアクセスすべきかを指示するために使用することができる。
【００３１】
例えば、表示装置を横切るランドルト環の運動での或る時点で、音を発生させることができ、または、ボックスをランドルト環周りに表示することができ、その時点で、対象者はそのとき存在しているランドルト環の向きを入力すべきである。
【００３２】
表示装置上の適用可能な目印を使用する対象者の視覚的な感度をテストおよび／またはトレーニングすることによって、視力のテストおよび／またはトレーニングシステムは、従来の視力検査表装置よりも大幅にスペースを減らすことができる。
【００３３】
加えて、こうしたシステムに要求されるテストおよび／またはトレーニング装置は、任意の位置、視力テストに受けることができない位置に、容易に運ぶことができる。
【００３４】
さらに、本発明の利点は、動体視力および／または視覚的目標捕捉能力を、静止視力をテストおよび／またはトレーニングするために使用されるような、同じテストシステムで直接テストおよび／またはトレーニングできることにある。
【００３５】
動体視力および／または視覚的目標捕捉能力をよりよく実施するための、静止視力のための評価データの使用は、本発明に従う視覚テスト処理をさらに簡単にする。
【図面の簡単な説明】
【００３６】
【図１】本発明に従うシステムを模式的に示す図である。
【図２Ａ】本発明に従うシステムの実施形態を示す透視図である。
【図２Ｂ】本発明に従うシステムの実施形態を示す透視図である。
【図３】Ａ−Ｃは、本発明に従う適応性のある目印のディスプレイを示す図である。
【図４】Ａ−Ｄは、本発明に従う目印のディスプレイを示す図である。
【図５】ＡおよびＢはそれぞれ、本発明に従う適応性のある目印のサイズ変化の例を時系列的に示す図である。
【図６】Ａ−Ｃは、本発明に従う適応性のある動的視覚目印を示す図である。
【図７】Ａ−Ｄは、本発明に従う適応性のある動的視覚目印を示す図である。
【図８】Ａ−Ｄは、本発明に従う、目標捕捉能力をテストおよび／またはトレーニングするために使用される適応性のある目印を示す図である。
【図９】本発明に従う、動的視覚目印のスピード変化を複数の反復とともに示す図である。
【図１０】静止視力をテストおよび／またはトレーニングするための、本発明に従う方法を示す図である。
【図１１−１】静止視力をテストおよび／またはトレーニングするための、本発明に従う更なる方法を示す図である。
【図１１−２】静止視力をテストおよび／またはトレーニングするための、本発明に従う更なる方法を示す図である。
【図１２】対象者の静的な視覚能力をテストおよび／またはトレーニングするための、本発明に従う方法を示す図である。
【図１３】対象者の静止視力をテストおよび／またはトレーニングするための、本発明に従う更なる方法を示す図である。
【図１４】対象者の静止視力をテストおよび／またはトレーニングするための、本発明に従う更なる方法を示す図である。
【図１５】本発明に従う、静止視力をテストおよび／またはトレーニングするときに達成できる、例示的な関連目印のサイズ範囲を示す図である。
【図１６】個人の動体視力をテストおよび／またはトレーニングするための、本発明に従う方法を示す図である。
【図１７】個人の動体視力をテストおよび／またはトレーニングするための、本発明に従う方法を示す図である。
【図１８】個人の動体視力をテストおよび／またはトレーニングするための、本発明に従う、更なる方法を示す図である。
【図１９】個人の動体視力をテストおよび／またはトレーニングするための、本発明に従う、更なる方法を示す図である。
【図２０】個人の動体視力をテストおよび／またはトレーニングするための、本発明に従う、更なる方法を示す図である。
【図２１】個人の視覚的な感度をテストおよび／またはトレーニングするための、本発明に従う、更なる方法を示す図である。
【図２２】個人の視覚的な感度をテストおよび／またはトレーニングするための、本発明に従う、更なる方法を示す図である。
【発明の詳細な説明】
【００３７】
本発明の主題は、法的な必要条件を満たしてここに特殊性を有して記述される。
【００３８】
しかしながら、明細書そのものの記載は、この特許の範囲を制限することを意図するものではない。
【００３９】
むしろ、発明者は、特許請求の範囲に記載された要旨を他の手段で例示することもでき、他の従来又は将来の技術と組み合わせて、異なるステップ又は、明細書において詳述されるステップと類似するステップの組み合わせを含むことを考慮している。
【００４０】
本発明は、変更し又は適応可能な特徴を有する目印を使用して対象者の視覚的な感度を評価する。
【００４１】
個人が目印を正しく知覚することができるときの目印が有する特徴は、個人の視覚的感度を高める場合がある。
【００４２】
本発明に従って目印が有する適応可能な特徴のタイプの例としては、例えば、目印のサイズ及びスピードがある。
【００４３】
本発明に従って目印が有する適応可能な特徴のタイプの例としては、例えば、目印のサイズ及びスピードがある。
【００４４】
通常、本発明に従うシステム及び方法では、特徴が変化する目印を表示する表示装置を使用することができる。目印の特徴は、目印とともに、潜在的に変化し、与えられた表示期間中の如何なるときも、対象者によって知覚される。
【００４５】
対象者からの入力であって、当該対象者の彼又は彼女が目印を知覚したと信じたことを示す入力を受信すると、対象者から受信した入力は、当該入力が表示された目印に対する正しい入力に応答したものかどうかを判定するために試験される場合がある。
【００４６】
例えば、対象者は、複数の入力のいずれか１つを受信できる入力装置を備えることができ、それぞれの想定入力は、表示される目印が潜在的に有する特性に対応している。
【００４７】
目印が有する特性には、例えば、向き、同一性等があるかもしれない。
【００４８】
受信される入力が表示される目印の特性と一致するかどうかを判定することによって、本発明に従うシステムは、表示される目印を個人が視覚的に知覚することの正確さを評価することができる。
【００４９】
図１には、本発明に従うシステム１００が示されている。システム１００は、制御ユニット１１０を含むことができる。
【００５０】
制御ユニット１１０は、コンピュータ装置の如何なるタイプをも備えることができる。
【００５１】
制御ユニット１１０は更に、以下に示すような、様々な機能を実行するための複数のコンピュータ装置を備えることができる。
【００５２】
制御ユニット１１０は、表示装置１２０に対して接続部１５２を介して接続することができる。
【００５３】
接続部１５２は、無線又は有線接続の如何なるタイプとすることができる。
【００５４】
表示装置１２０は、モニタ又はプロジェクションシステムの如何なるタイプをも備えることができ、液晶ディスプレイ、テレビ、スクリーンプロジェクタ、ディスプレイゴーグル、知覚的な視覚トンネル、又は、対象者によって知覚されることが可能な視覚的目印を表示できる装置の他の如何なるタイプも含むことができる。
【００５５】
制御ユニット１１０は、表示装置１２０上に表示される目印と、表示される目印が有する特性を制御するために動作することができる。
【００５６】
システム１００は更に、入力装置１３０を含み、テスト用ユニット１１０に接続部１５４を介して接続されている。
【００５７】
システム１００は更に、入力装置１３０を含み、テスト用ユニット１１０に接続部１５４を介して接続されている。
【００５８】
入力装置１３０は、対象者からの入力を受信できる装置又は装置の組み合わせの如何なるタイプをも含むことができる。
【００５９】
許容される入力装置の例には、マルチタッチ装置、ジョイスティック、ボタン、フットペダル、ジェスチャー認識システム、音声認識システム及び、他の如何なるタイプの装置をも含むことができる。
【００６０】
更に、表示装置は、タッチスクリーンの如何なるタイプをも含むことができ、それによって、シングルタッチスクリーンを表示装置１２０と入力装置１３０の両方で構成することも可能である。
【００６１】
入力装置１３０は、与えられた複数の想定入力を対象者から受信するために動作することができる。
【００６２】
例えば、入力装置１３０として、前後左右に操作できるジョイスティックを利用することができる。
【００６３】
米国特許出願12/534,605 (代理人 Docket no., NIKE.146745)等で詳述したように、入力装置として、マルチタッチ装置を使用することができる。
【００６４】
同様に、入力装置１３０の一部として、限られた数の、矢印キー、文字キー、カラーボタン及び、それに類するものを利用することができる。
【００６５】
任意的に、入力装置１３０を介して入力された複数の想定入力のそれぞれは、表示装置上に潜在的に表示される目印の視覚的な特性に対応させることができる。
【００６６】
制御ユニット１１０は、入力装置１３０から受信される入力を評価することができ、この入力を表示装置１２０上に表示される目印と比較して、受信された入力が表示される目印に対して正しく応答しているかどうかを判定する。
【００６７】
鏡及び／又はレンズはまた、対象者と表示される目印との間の視覚的な距離を増加させ、又は、減少させるために使用できるけれども、表示装置１２０に対する入力装置１３０の位置は、対象者と表示される目印との間の距離で効果的に規定することができる。
【００６８】
システム１００は、更にストラージ装置１４０を含む場合がある。
【００６９】
ストラージ装置１４０は、制御ユニット１１０に接続部１５６を介して接続することができる。
【００７０】
接続部１５６は、無線又は有線接続の如何なるタイプとすることができる。
【００７１】
ストラージ装置１４０は、ハードディスクドライブ、フラッシュメモリ、フロッピーディスク、ＣＤ、ＤＶＤ、又は、これに類するような、コンピュータストラージメディアの如何なるタイプとすることができる。
【００７２】
制御ユニット１１０は、対象者によって生成されたテスト及び／又はトレーニングデータを保存するために、ストラージ装置１４０を利用することができる。
【００７３】
テスト及び／又はトレーニングデータは、例えば、入力装置１３０から受信された正確な入力の数、表示のサイズ又はスピード又は継続時間のような、正確及び／又は不正確な応答が入力装置１３０から受信されたときに表示装置１２０上に表示される目印の特徴及び、こうしたデータの様々な解析値を含むことができる。
【００７４】
当業者によれば、ストラージ装置１４０を制御ユニット１１０に対して一体にし、或いは、完全に分離した構造にできることは明らかである。
【００７５】
同様に、当業者によれば、制御ユニット１１０の様々な態様は、図１に示すような、単一の装置よりもむしろ、複数のコンピュータ装置で行われる場合があることは明らかである。
【００７６】
図２Ａには、本発明に従う、システム２００の例が示されている。
【００７７】
システム２００は、システム２００のコンポーネントの一部又は全部を収納するキオスク２０５を利用することができる。
【００７８】
システム２００は、視覚的目印を表示することができる表示装置２２０を備える。視覚的目印は、目印２２５のように、視覚的な特性を有し、視覚的なテスト及び／又はトレーニングの目的に使用することができる。
【００７９】
表示装置２２０が視覚的なテスト及び／又はトレーニングの目的のために対象者２６０によって知覚することができるように、当該表示装置２２０は、対象者２６０に関連付けられて位置決めされる場合がある。
【００８０】
対象者２６０は、表示装置２２０から第１の距離２７０の位置にいる。
【００８１】
入力装置２３０には、対象者２６０が目印２２５の知覚に基づいた入力を行うために、対象者２６０が利用できるジョイスティックを設けることができる。
【００８２】
代替的に、入力装置２３０は、マルチタッチデバイスを備える場合がある。
【００８３】
制御ユニット２１０は、表示装置２２０に、接続部２５２を介して接続することができるとともに、入力装置２３０に、接続部２５４を介して接続することができる。
【００８４】
図２Ａに示すシステム２００は、単に例示的なものであり、本発明に従えば、他の形状、構成、コンポーネント及び、コンポーネントの組み合わせを利用することができる。
【００８５】
図２Ｂには、本発明に従う、テスト及び／又はトレーニング用キオスク２０５の代替的な例が示されている。
【００８６】
図２Ｂに示す例では、対象者２６０は、入力装置として、マルチタッチデバイス２９０を利用する。
【００８７】
マルチタッチデバイス２９０は、目印２２５のような、表示される目印の向きの方向にスワイプさせることができる。
【００８８】
マルチタッチデバイス２９０は、制御ユニット２１０に、無線リンク２５５を介して無線通信することができる。
【００８９】
無線リンク２５５は、「Bluetooth」及び／又は、様々な「802.11プロトコル」を含む、如何なる無線プロトコルを利用してもよい。
【００９０】
図２Ｂに示す例では、対象者２６０は、表示装置２２０から第２の距離２７１に配置されている。
【００９１】
第２の距離２７１は、対象者２６０に対して、ほぼ光学無限に十分であるが、如何なる距離であってもよい。
【００９２】
視覚的な感度をテスト及び／又はトレーニングするためには、第２の距離２７１に対して、ほぼ１６フィートの距離が有益な場合がある。
【００９３】
図３Ａ−３Ｃを参照すると、適応性のある目印３２５が、異なる時間で表示装置３２０上に表示された状態を示している。
【００９４】
図３Ａは、第１回目の目印３２５が示されている。
【００９５】
図３Ａに示すときは、目印３２５は、対象者（図示せず）が知覚するには小さすぎるサイズで表示装置３２５上に表示されている。それ故、入力がジョイスティック３３０を使用することで入力されることはない。
【００９６】
２回目の目印３２５が、図３Ｂに示されている。
【００９７】
図３Ｂに示すとき、目印３２５は、対象者（図示せず）が知覚できるサイズ以下を維持し、これは、図３Ｂに示すときにジョイスティック３３０で記録される入力がないことを意味している。
【００９８】
図３Ｃに示すとき、目印３２５は、対象者（図示せず）が目印３２５の有する視覚的な特性を知覚できるサイズに増加している。
【００９９】
図３Ａ−３Ｃに示す例において、目印３２５は、右の向きを有するランドルト環で構成されている。
【０１００】
従って、対象者（図示せず）が目印３２５を右向きとして知覚したとき、ジョイスティック３３０は、図３Ｃの矢印３４２に示すように、右に押し倒される。
【０１０１】
対象者（図示せず）は、ジョイスティック３３０を操作することによって、対象者（図示せず）が目印３２５を知覚できるサイズに当該目印３２５が達するたびに、知覚された目印３２５の向きを指示するための入力を入力することで、視覚テスト及び／又はテストの一部として、対象者の視力を評価することができる。
【０１０２】
図４Ａ−４Ｄを参照すると、異なる視覚的な特性を有する複数の目印が入力装置４３０と一体に示されており、入力装置４３０は、表示された目印が有する複数の特性に対応する一連の入力を受信することができる。
【０１０３】
図４Ａ−４Ｄに示す例において、例示的に図示した目印はランドルト環であり、相互に排他的な４つの向きのうちの１つを例示的な特性として有している。
【０１０４】
本発明に従えば、他の種類の目印を使用することができ、目印は、向き以外の特性を有する場合がある。
【０１０５】
例えば、目印は、同一の特性を有する英語のアルファベットの文字とすることができる。
【０１０６】
更に、目印は、同一性と向きのような、多くの非排他的な特性を有する場合がある。
【０１０７】
勿論、特性に対応する入力は、図４Ａ−４Ｄに示したジョイスティックを操作することの例の他にも、多くの方法で行われる場合がある。
【０１０８】
例えば、マルチタッチデバイス、キーボード、ボタン、音声認識などは、本発明を逸脱することなく、使用することができる。
【０１０９】
参照する図４Ａのように、第１目印４２５は、表示装置４２０で表示される上向きのランドルト環で構成することができる。
【０１１０】
ジョイスティック４３０は、対象者（図示せず）に対応する方向４４１に操作することができ、対象者（図示せず）が第１目印４２５を知覚するとともに、第１目印４２５が有する視覚的な特性を知覚したことを指示する。
【０１１１】
参照する図４Ｂのように、第２目印４２６は、表示装置４２０で表示される右向きのランドルト環で構成することができる。
【０１１２】
ジョイスティック４３０は、対象者（図示せず）に対応する方向４４２に操作することができ、対象者（図示せず）が第２目印４２６を知覚するとともに、第２目印４２６が有する視覚的な特性を知覚したことを指示する。
【０１１３】
参照する図４Ｃのように、第３目印４２７は、表示装置４２０で表示される下向きのランドルト環で構成することができる。
【０１１４】
ジョイスティック４３０は、対象者（図示せず）が第３目印４２７の向きを知覚するとき、下向きの方向４４３に操作することができる。
【０１１５】
参照する図４Ｄのように、第４目印４２８は、表示装置４２０で表示される左向きのランドルト環で構成することができる。
【０１１６】
ジョイスティック４３０は、対象者（図示せず）に対応する方向４４４に操作することができ、対象者（図示せず）が第４目印４２８を知覚するとともに、第４目印４２８が有する視覚的な特性を知覚したことを指示する。
【０１１７】
図５Ａを参照すると、本発明に従って目印が変化する例として、目印のサイズが時間に関係しているものが示されている。
【０１１８】
図５Ａに示した例では、目印のサイズが時間に比例した関係で変化する。
【０１１９】
初期時間ｔ0では、初期目印サイズを有する目印が表示される。
【０１２０】
初期目印サイズは、テストされるどんな個人も知覚できないように、選択することができる。
【０１２１】
目印サイズは、それから、図５Ａに示す線形速度のように、入力が例えば時間ｔ1で受信されるまで、実質的に一定の率で大きくなる。
【０１２２】
時間Ｖで、目印は、あるサイズを有する。
【０１２３】
入力の時間ｔ1及び／又は入力での目印サイズは記憶することができ、個人の視力を評価することに役立つ場合がある。
【０１２４】
例えば、時間ｔ2のように、ある時点で、目印は、自己の最大許容サイズに達する。
【０１２５】
最大許容目印サイズは、視覚的感度のテスト及び／又はトレーニングシステムの構成において、予め定めることができる。
【０１２６】
例えば、与えられた対象者がこうした視力の重大な欠陥を患い、表示される目印のサイズがもはや増加しないことが是認される場合がある。
【０１２７】
更に、与えられた表示装置が、表示可能な目印サイズを制限し、又は、事実上制限する場合がある。
【０１２８】
いずれかの場合、ある時点で、目印を更に大きくできないと、テスト方法論で基本的に、テストを終わらせることができる「タイムアウト」シナリオとなり、他の目印は、初期目印サイズで表示され、実質的に表示される目印の初期目印サイズに調整され、又は、他の手段が用いられる。
【０１２９】
図５Ｂを参照すると、目印のサイズが時間に関係した本発明の例であって、目印サイズを段階的に調整するものが示されている。
【０１３０】
図５Ｂに示す例では、目印は、具体的に既定された複数のサイズのいずれかを有し、この例では、０．２５刻みで最小０．２５から最大４．００まで及ぶ。
【０１３１】
図５Ｂに示す例のように、目印サイズの数値的記述には、絶対寸法（即ち、インチやセンチメートル等）、対象者の視野角度の大きさ、又は、表示装置上にある目印サイズのピクセル数を基にしたものを参照する場合がある。
【０１３２】
このサイズ範囲は、単に例示であるが、より多くの、又は、より少ない控えめなレベルのサイズを使用して与えられる場合がある。
【０１３３】
想定目印サイズは、距離を基に選択することができ、対象者は、視覚的感度のテスト及び／又はトレーニング能力に対する十分な範囲を与えるために、表示装置から位置決めされる。
【０１３４】
例えば、個人の視覚的なスキルをトレーニング又は評価するために、０．２５レベルよりも良い必要はない場合があるので、それより下の視力レベルの目印は必要がない。
【０１３５】
同様に、本発明の特定の実施形態では、２０／２００よりも悪い対象者の視力をテスト及び／又はトレーニングすることを求められない場合がある。
【０１３６】
目印の特定のサイズ範囲が、必要とされる最小サイズと必要とされる最大サイズとの間での十分な評価点を与えるために、選択される場合がある。
【０１３７】
図５Ｂに示す例では、目印は最初に、時間ｔ0でサイズ２．００を有するものとして表示される。
【０１３８】
目印は、そのサイズで、少なくとも既定の期間であって、対象者（図示せず）が応答できる間に表示される。
【０１３９】
図５Ｂに黒丸で示されているように、時間ｔ1では、対象者は正しい応答を与える。
【０１４０】
その後、目印は、同じサイズを維持する一方、異なる特性を有するように変更させることができる。
【０１４１】
時間ｔ1からｔ2まで、目印はなお、サイズ２．００であり、対象者は、黒丸で示すように、別の正しい応答を与える。
【０１４２】
時間ｔ1からｔ2まで、目印はなお、サイズ２．００であり、対象者は、黒丸で示すように、別の正しい応答を与える。
【０１４３】
その後、白丸で示すように時間ｔ3にて、対象者（図示せず）は、間違った応答を与えるか、表示される目印に応答するのを失敗する場合がある。
【０１４４】
時間ｔ3にて、表示される目印は、サイズ１．００を維持する一方、異なる特性を有するように変更させることができる。
【０１４５】
図５Ｂに示す例では、対象者(図示せず)は、正しくない応答を与えるか、時間ｔ4で表示される目印に応答するのを失敗する。
【０１４６】
その後、表示される目印は、時間ｔ4でハーフステップだけ拡大され、サイズ１．５０になる。
【０１４７】
黒丸で示すように、時間ｔ5では、対象者は正しい応答を与える。
【０１４８】
その後。表示される目印は、異なる特性を有するように変更され、なお再びサイズ１．５０で表示される。
【０１４９】
その後、表示される目印は、そのサイズをサイズ１．２５に、四分の一ステップだけ減少させることができる。
【０１５０】
図５Ｂの例に示すように、対象者（図示せず）は、サイズ１．２５の時間ｔ7で正しい応答を与え、サイズ１．２５の時間ｔ8で不正確な応答又が応答せず、サイズ１．２５の時間ｔ9及びｔ10で正しい応答を与える。
【０１５１】
この時点で、図５Ｂに示す例は、対象者（図示せず）の視力は、現時点で、サイズ１．２５で表示される目印に応答できると結論付けられるとの判定で結論付けることができる。
【０１５２】
他の種類の階段状のステップアルゴリズムを、図５Ｂで示すアルゴリズムに変えて、又は、当該アルゴリズムとともに使用することができる。
【０１５３】
図６Ａ−６Ｃには、適応性のある視覚的目印の例が、動体視力をテスト／トレーニングするために使用するために示されている。
【０１５４】
一般的に言えば、図６Ａ−６Ｃは、視覚的特性を有した動く視覚的目印を示し、当該視覚的目印は、異なる試験で、異なる試験として異なる動きの速度を使用している。
【０１５５】
各試験では、対象者（図示せぬ）は、動く視覚的目印と当該目印の有する特性を知覚しようと試みることができ、対象者（図示せぬ）は、対象者（図示せぬ）によって知覚された視覚的特性（この実施例では向き）に応答する入力を与える。
【０１５６】
図６Ａ−６Ｃに示すように、目印スピードを繰り返し変えることは、個人の動体視力がどのくらいのスピードで、表示される目印の視覚的特性を正しく知覚することができないのかを示す場合がある。
【０１５７】
更に、動きの方向及び／又は角度は、異なる繰り返しで変更することができ、これにより、例えば、動きの異なるタイプに対する、対象者の相対な視覚的な能力を判定することができる。
【０１５８】
更に、目印の動きは、一直線に、及び／又は、一定のスピードである必要はない。
【０１５９】
他の例示的な実施例では、目印の進行に関連付けられた不規則な動き、及び／又は、目印が進む予測不可能な位置を使用することができる。
【０１６０】
不規則な動き、及び／又は、予測不可能な位置から導かれた矛盾は、対象者が、テスト及び／又はトレーニング動作中、サッケード運動を依存することを阻止する。
【０１６１】
加えて、テスト及び／又はトレーニング動作中、任意の位置及び／又は時間に、目印の提示を生じさせることが考えられる。
【０１６２】
図６Ａ−６Ｃでは、与えられた目印が表示装置６２０を横切って移動するときのスピードは、目印に関連付けられた矢印の長さによって示されている一方、動きの方向は、矢印の方向によって示されている。
【０１６３】
図６Ａ−６Ｃに示す例示的な目印が右から左に表示装置を横切って移動する間、本発明に従う、与えられた目印は、表示装置上を、斜めを含む任意の方向に、又は、表示装置を横切った他の角度で、移動することができ、更に、与えられた任意のテスト目印が、１方向以上、即ち、一方で右から左に繰り返し、他方で左から右に繰り返し、上下又は斜めも同様に移動することができることを認識できるだろう。
【０１６４】
更に、当業者であれば、図示例のランドルフ環ではない目印を使用することができ、また、指向する向き以外の特性を目印に持たせることができることを認識できるだろう。
【０１６５】
図６Ａを参照すると、表示装置６２０上の第１目印６２５には、視覚的な特性を持たせることができ、本例では、右向きである。
【０１６６】
第１目印６２５は、第１スピード６６１で動かすことができる。
【０１６７】
対象者（図示せず）は、第１目印６２５と、当該目印６２５が有する視覚的特性とを知覚したことを、第１目印６２５の有する特性に対応した方向６４４に、ジョイスティック６３０を操作することによって指示する。
【０１６８】
図６Ｂを参照すると、表示装置６２０上の第２目印６２６には、視覚的な特性を持たせることができ、本例では、上向きである。
【０１６９】
第２目印６２６は、第２スピード６６２で動かすことができ、第２スピード６６２は、本例では、第１スピード６６１を超える。
【０１７０】
対象者（図示せず）は、第２目印６２６と、当該目印６２６が有する視覚的特性とを知覚したことを、第２目印６２６の有する特性に対応した方向６４１に、ジョイスティック６３０を操作することによって指示する。
【０１７１】
図６Ｃを参照すると、表示装置６２０上の第３目印６２７には、視覚的な特性を持たせることができ、本例では、左向きである。
【０１７２】
第３目印６２７は、第３スピード６６３で動かすことができる。
【０１７３】
図６Ａ−６Ｃに示すように、第３スピード６６３は、第１スピード６６１を超え、実質的に、第２スピード６６２も超える。
【０１７４】
本例では、対象者（図示せず）は、第３目印６２７の向きを知覚することができず、従って、入力は、ジョイスティック６３０を操作することによって記録される。
【０１７５】
勿論、対象者は、表示される目印の視覚的な特性を不正確に知覚し、任意の入力を与えるよりもむしろ、不正確な入力を与える。
【０１７６】
更に、時として、対象者は、表示される目印の視覚的な特性を知覚することができない可能性があるが、目印の有する視覚的な特性で正確に推定し、これによって、正しい入力を与える。
【０１７７】
推測が成功する問題は、十分な数の繰り返しを使用することで処理することができる。
【０１７８】
図７Ａ−７Ｄには、表示装置７２０を横切って移動する目印７２５が、異なる時点で示されている。
【０１７９】
図７Ａ−７Ｄに例示の目印７２５は、向きの特性を有するランドルト環であるが、他のタイプの目印及び／又は目印の有する他の特性を、本発明の範囲を逸脱することなく使用することができる。
【０１８０】
更に図７Ａ−７Ｄの例に示すように、目印７２５は、変化する特性を有し、この場合、特性は、目印７２５が表示装置７２０のスクリーンを横切って移動するときの向きである。
【０１８１】
目印７２５は、タンブリングランドルト環として記載することができ、目印７２５が表示装置７２０のスクリーンを横切って移動するとき、目印７２５の向きが動き、又は、「転回」する。
【０１８２】
図７Ａ−７Ｄに示す例では、第２の刺激によって応答が指示されるまで、ジョイスティック７３０を使用する対象者（図示せず）からの入力は要求されない。
【０１８３】
本例では、第２の刺激は、目印７２５周りに表示されたボックス７５５で構成されている。
【０１８４】
図７Ａに示す第１回目で、目印７２５は、表示装置７２０の左端近くに配置されるとともに、右向きを持たせている。
【０１８５】
図７Ｂに示す第２回目で、目印７２５は、表示装置７２０の中心左に移動するとともに、上向きを持たせている。
【０１８６】
図７Ｃに示す時点で、目印７２５は、表示装置７２０の中心右に移動するとともに、下向きを持たせている。
【０１８７】
この例の図７Ｃに示す時点で、例示的な第２の刺激としてのボックス７５５が目印７２５の周りに表示され、対象者（図示せず）に対し、対象者が目印７２５の有する特性、この例では、下向きを知覚したかどうかの入力を登録することを指示する。
【０１８８】
対象者(図示せず)は、彼又は彼女が目印７２５の有する下向き特性を知覚したことを、応答動作７４３にジョイスティック７３０を従事させることで指示することができる。
【０１８９】
図７Ｄの時点で、目印７２５は、表示装置７２０の更に右側に進み、左の向きを持つ。
【０１９０】
他の第２の刺激が対象者に指示するために使用される場合があり、彼又は彼女は第２の刺激のボックス７５５の表示の使用を超えた入力を入力すべきであることを指示される。
【０１９１】
例えば、音声、色の変化、その他の刺激が、対象者に対し、表示される目印の必須の視覚的特性が対象者に知覚できるときに入力を行うように指示する。
【０１９２】
図８Ａ−８Ｂには、目標補足テスト及び／又はトレーニングで使用する適応性のある目印が示されている。
【０１９３】
図８Ａ−８Ｂに示す例では、表示装置８２０は、焦点８２１を表示装置８２０の中心又はその近くに表示する。
【０１９４】
対象者（図示せず）は、視覚的に焦点８２１に焦点を合わせることができ、対象者が焦点８２１を見ている間、適応性のある目印は、コーナーのような、表示装置８２０の、コーナーのような、ある位置で表示される。
【０１９５】
しかしながら、目印は表示装置の任意の位置で表示され、実際には、表示される目印の位置は、本発明に従う、適応性のある特徴である。即ち、焦点８２１からの距離及び／又は表示装置８２０上の異なる注視角度を変更することで、トレーニング及び／又はテストを行うことが、個人の目標補足能力を発達させる場合がある。
【０１９６】
一般的に言えば、焦点８２１に焦点を合わせる対象者（図示せず）は、サッカード運動が、表示される目印を視覚的に習得するようになるとともに、目印の有する特性を知覚するようになる。
【０１９７】
図８Ａ−８Ｃに示す例では、目印は、向きを持ったランドルト環で構成されている。
【０１９８】
目標補足テスト及び／又はトレーニングのために表示される目印のサイズは、本明細書に記載されるような適応性のある視覚的目印を使用して判定された、静体視力のような視覚的感度の事前評価に基づいている。
【０１９９】
更に、図８Ａ−８Ｄに示す例は、入力装置としてマルチタッチデバイス８９０を使用する。
【０２００】
マルチタッチデバイス８９０は、表示されるランドルト環の向きの方向を指示するために、対象者（図示せず）の指でスワイプさせることができる。
【０２０１】
図８Ａに示す例では、第１視覚的目印８２５は、表示装置８２０の上部左側コーナーに現れており、対象者（図示せず）は、マルチタッチデバイス８９０を、矢印８９１で示すように右にスワイプさせる。
【０２０２】
図８Ｂに示す例では、視覚的目印８２６は、表示装置８２０の上部右側コーナーに現れた下向きのランドルト環で構成されており、対象者（図示せず）は、下向きのランドルト環に応答するため、マルチタッチデバイス８９０を、矢印８９２で示す下向きにスワイプさせる。
【０２０３】
図８Ｃに示す例では、視覚的目印８２７は、表示装置８２０の下部右側コーナーに現れ、左向きのランドルト環で構成されており、対象者（図示せず）は、左向きのランドルト環に応答するため、マルチタッチデバイス８９０を使用して、矢印８９３で示す左向きにスワイプさせる。
【０２０４】
図８Ｄに示す例では、視覚的目印８２８は、表示装置８２０の下部左側コーナーにある、上向きのランドルト環で構成されており、対象者（図示せず）は、上向きのランドルト環に応答するため、マルチタッチデバイス８９０を使用して、矢印８９４で示す上向きにスワイプさせる。
【０２０５】
図８Ａ−８Ｄに示す例では、表示される視覚的目印８２５，８２６，８２７，８２８は、テスト及び／又はトレーニングの異なる繰り返しで変更する特徴を持つ。
【０２０６】
例えば、与えられた目印が表示される間の継続時間を変更させることができ、表示される目印の焦点８２１からの距離及び／又は方向を変更させることができ、目印の色を変更させることができ、目印特性と背景とのコントラストを変更させることができ、目印のサイズを変更させることができ、又は、表示される目印の任意の視覚的特徴であって視覚的背景と別体若しくは一体の視覚的特徴を変更させることができる。
【０２０７】
図９には、図６Ａ−６Ｄに示す異なる繰り返し試験の例のような、異なる試験の繰り返しのための目印スピードが示されている。
【０２０８】
図９では、黒丸が、表示される目印特性に応答した正しい入力であるを示す一方、開口／中空の白丸／円が、表示される目印特性に応答しない間違った応答であるか応答しないかのいずれかであることを示す。
【０２０９】
図９に示す例では、複数の試験が示されている。
【０２１０】
図９に示す例では、目印は、最低スピードから最高スピードまでをＳ1,Ｓ2,Ｓ3,Ｓ4,Ｓ5として表示した５つのスピードの１つで動く。
【０２１１】
この例では、試験の繰り返しＩ1は、黒丸で示すように、Ｓ1で動く目印を含み、対象者は、表示される目印に応答して正しい入力を与える。
【０２１２】
更に、図９の例に示すように、Ｉ2で示す第２の繰り返しは、黒丸で示すように、Ｓ1で示す第１のスピードで動く目印を含む。
【０２１３】
繰り返しＩ2は、黒丸で示すように、対象者からの正しい応答の結果である。
【０２１４】
図９の例では、繰り返しＩ3は、スピードＳ3で生じるとともに、白丸で示すように、対象者からの間違った応答か、対象者からの応答がないかのどちらかの結果である。
【０２１５】
図９に示す例では、繰り返しＩ4は、スピードＳ5で生じ、これもまた、白丸で示すように、対象者からの間違った応答か、対象者からの応答がないかのどちらかの結果である。
【０２１６】
この例ではその後、対象者は、スピードＳ3での繰り返しＩ5及びＩ6に正確な応答を与え、スピードＳ4での繰り返しＩ7に間違った応答をしたか、応答せず、そして、スピードＳ4での繰り返しＩ8及びＩ9に正しい応答を２つ連続して与える。
【０２１７】
図９の例として示された動体視力テストは、更に繰り返しＩ9の後も続行できるが、対象者の動体視力がスピードＳ4で動く目印の特性を分析できるとして計測されることで終了させるために判定させることができる。
【０２１８】
図１０には、本発明に従う、静止視力をテスト及び／又はトレーニングするための方法１０００が示されている。
【０２１９】
ステップ１０１０では、対象者が見ることができる視覚的特性を持つ視覚的目印を表示装置上に表示させる。
【０２２０】
ステップ１０２０では、表示される目印のサイズを変更する。
【０２２１】
例えば、ステップ１０２０では、表示される視覚的目印のサイズを増大させることができる。
【０２２２】
ステップ１０３０では、表示される目印及び／又は表示される目印の特性を対象者が知覚したことを示す対象者からの入力を受信することができる。
【０２２３】
入力は、表示される目印の有する特性に対応することができる。
【０２２４】
ステップ１０４０では、入力が受信されたときの目印のサイズを記録することができる。
【０２２５】
ステップ１０１０では、任意のタイプの表示装置を利用することができ、ステップ１０３０では、入力装置の任意のタイプを利用することができ、そして、ステップ１０４０では、ストレージ装置の任意のタイプを利用することができる。
【０２２６】
方法１０００と明細書に記載した付加的な方法のステップの実行を、明細書に記載したような、１又はそれ以上の制御ユニットによって制御し、指示し、又は、監視することができる。
【０２２７】
図１１には、さらに本発明に従う、方法１１００が示されている。
【０２２８】
ステップ１１０５では、複数の視覚的特性のうちの少なくとも１つを有する視覚的目印を定義することができる。
【０２２９】
ステップ１１１０では、複数の入力を定義することができ、各入力は、複数の視覚的特性の１つに対応する。
【０２３０】
ステップ１１１０で定義される入力は、ステップ１１０５で定義される視覚的特性で、一対一対応とすることができる。
【０２３１】
例えば、ステップ１１０５では、視覚的目印として、複数の視覚的特性、すなわち、上方向、下方向、左方向または右方向の向きを有するランドルト環を定義することができる。
【０２３２】
同様に、この例では、ステップ１１１０では、複数の入力を定義することができ、各入力は、表示されるランドルト環と同様の向きに対応するジョイスティックの上、下、左または右の動きである。
【０２３３】
ステップ１１１５では、表示装置を対象者に提供することができ、これにより、表示装置は、対象者によって見ることができるとともに定義される視覚的目印を表示することができる。
【０２３４】
ステップ１１２０では、入力装置を対象者に提供することができ、入力装置は、定義された入力を入力するために使用することができる。
【０２３５】
ステップ１１２０では、ステップ１１１０で提示された以上の入力を受信することができる入力装置を提供することができる。
【０２３６】
ステップ１１２５では、時間ｔ0での特性を有する目印を表示装置上に表示することができ、表示される目印は、時間ｔ0で第１のサイズを有する。
【０２３７】
ステップ１１３０では、表示される目印のサイズを、実質的に一定の率で増大させることができる。
【０２３８】
ステップ１１３０の実質的に一定の率は、線形または一定の階段形とすることができる。
【０２３９】
ステップ１１４５では、入力装置からの入力が受信されたかどうかを判定する。
【０２４０】
入力が受信されないときは、方法１１００は、ステップ１０６５に進み、目印がその最大サイズに達したかどうかを判定する。
【０２４１】
ステップ１１６５で、目印がまだその最大サイズに達していないと結論したときは、方法１１００は、ステップ１１４５に戻って、入力が受信されたかどうかを判定する。
【０２４２】
ステップ１１６５で、目印が最大サイズに達したと結論したときは、方法１１００は、ステップ１１７０に進んで、応答失敗を記録する。
【０２４３】
ステップ１１４５で、入力が受信されたどうかかが「yes」であるとして結論したときは、方法１１００は、ステップ１１５０に進んで、受信された入力が表示された目印の特性に対応しているかどうかを判定する。
【０２４４】
ステップ１１５０で、入力が表示された目印の特性に対応していないと結論したときは、方法１１００は、ステップ１１７５に進んで、間違った応答を記録する。
【０２４５】
ステップ１１５０の結論が、入力が表示された目印の特性に対応していると判定することであるときは、方法１１００は、ステップ１１６０に進んで、正しい応答に対する目印サイズ、必要に応じて、応答および／または目印の有する特性が正しいことを記録する。
【０２４６】
ステップ１１６０，１１７０及びステップ１１７５のいずれからも、方法１１００は、ステップ１１６０に進んで、正しい応答に対する目印サイズが確立されたかどうかを判定する。
【０２４７】
ステップ１１６０では、例えば、対象者の応答が対象者の静止視力を判定できるものかを判定することができる。
【０２４８】
ステップ１１６０で、正しい応答に対する目印サイズが確立されないと結論したときは、方法１１００は、ステップ１１２５に戻って他の目印を表示する。
【０２４９】
ステップ１１６０で、正しい応答に対する目印サイズが確立されたと結論したときは、方法１１００は、ステップ１１８０に進んで、対象者に対して測定した目印サイズ／視力を記録する。
【０２５０】
図１２には、知覚可能な目印サイズが確立されているかどうかを評価するための方法１２００が示されている。
【０２５１】
ステップ１２１０では、既定数の知覚的目印が表示される。
【０２５２】
例えば、既定数の知覚的目印は、１０個の目印で構成することができ、さらに記載のように、対象者が正しい応答を与えるときの平均サイズを得るために使用することができる。
【０２５３】
ステップ１２２０では、入力を、表示される各目印に対応して受信することができる。
【０２５４】
ステップ１２３０では、正しい入力が受信されるときに表示される目印サイズを記録することができる。
【０２５５】
ステップ１２４０では、正しい入力が受信されるときに表示される目印の平均サイズを計算することができる。
【０２５６】
この方法では、図１１のステップ１１６０のようなステップは、既定数の視覚的目印に対して正しい入力が受信されるときのサイズを単純に平均することを構成とすることができる。
【０２５７】
図１３には、知覚可能な目印のサイズが確立されたかどうかを評価するためのさらなる方法１３００が示されている。
【０２５８】
ステップ１３１０では、知覚的目印が表示されるとともに、表示される目印に対応する入力を、既定数の正しい応答を受信するまで受信することができる。
【０２５９】
例えば、目印の表示及び入力の受信を、対象者が正しい応答を１０回与えるまで続けることができる。
【０２６０】
ステップ１３２０では、正しい応答が受信されたときに表示される目印の平均サイズを計算することができる。
【０２６１】
方法１２００と同様に、方法１３００は、どのくらいの目印のサイズまで対象者が目印および／またはその表示される特性を正しく知覚できるのかを判定するために利用することができる。
【０２６２】
方法１２００とは異なり、方法１３００は、既定数の試験よりも、応答の正しさにかかわらず、予め決定された正しい応答の数を要求する。
【０２６３】
図１４には、知覚可能な確立された目印のサイズを評価するための方法１４００が示されている。
【０２６４】
ステップ１４１０では、関連する視覚的目印のサイズの範囲を定義することができる。
【０２６５】
ステップ１４１０で定義されたサイズの範囲は、与えられた表示装置上に表示されたときにプラスマイナス２センチメートルの絶対寸法範囲のような、絶対的なものとすることができる。
【０２６６】
或いは、ステップ１４１０で定義されたサイズの範囲は、表示される目印の直径の１０パーセント以内のような、相対的なものとすることができる。
【０２６７】
ステップ１４２０では、表示される視覚的目印に正しく応答する複数の入力を受信することができるとともに、各正しい入力に対して、表示される目印サイズを記録することができる。
【０２６８】
ステップ１４３０では、正しい応答を閾値量まで受信したかどうかを判定することができる。
【０２６９】
ステップ１４４０では、互いに関連する視覚的目印サイズの既定の範囲内に収まるサイズの目印に対して、正しい応答がどのくらいのパーセンテージで与えられたかどうかを判定することができる。
【０２７０】
ステップ１４５０では、ステップ１４１０の関連する視覚的目印サイズの既定の範囲に収まるサイズの目印に対する正しい応答のパーセンテージが、既定のパーセンテージの閾値、例えば、８０パーセントを越えるときは、サイズは個人の静止視力に対応する範囲内の平均サイズであると判定する。
【０２７１】
図１５には、関連印サイズの既定の範囲、並びに、テストおよび／またはトレーニングの結果が示されている。
【０２７２】
図１５に示す例では、１０個の目印サイズがＳ1からＳ10まで示されている。
【０２７３】
さらに、関連目印サイズの範囲が図表的に示されている。
【０２７４】
目印Ｓ1−Ｓ10の各サイズは、対象者からの正しい入力に対応している。
【０２７５】
図１５の例で示すように、正しい応答の７０パーセント、即ち、１０のうちの７は、既定の関連目印サイズ範囲内の目印サイズであった。
【０２７６】
方法１４００のステップ１４５０で既定のパーセンテージの閾値図が７０パーセントであるときには、そのとき、サイズＳ10の１０番目の正しい入力の受取は、目印サイズの平均で計算されたテストの結論を、個人の静止視力の測定として、関連目印サイズ範囲に収めることができる。
【０２７７】
図１５に示す例では、正しい応答に対応する目印のサイズは,Ｓ3,Ｓ4,Ｓ5, Ｓ7,Ｓ8,Ｓ9およびＳ10であった。
【０２７８】
図１６には、対象者の動体視力をテストおよび／またはトレーニングするための方法１６００が示されている。
【０２７９】
ステップ１６０５では、対象者に表示するための目印のサイズが決定される。
【０２８０】
ステップ１６０５では、明細書に記載した、静止視力をテストするための方法の任意の方法を利用することができ、または、従来の視力検査表テストのような、静止視力を測定するための他の方法を利用することができる。
【０２８１】
ステップ１６１０では、既定の率で動く視覚的特性を有する目印が表示される。
【０２８２】
ステップ１６１５では、入力が受信されたかどうかを判定する。
【０２８３】
ステップ１６１５で、入力が受信されていないと結論したときは、方法１６００は、ステップ１６３５に進んで、目印が有効表示領域での表示を終了しているかどうかを判定することができる。
【０２８４】
ステップ１６３５で、目印が終了していないと結論したときは、方法１６００は、ステップ１６１５に戻って、入力が受信されたかどうかを判定することができる。
【０２８５】
ステップ１６３５で、目印が終了していないと結論したときは、方法１６００は、ステップ１６１５に戻って、入力が受信されたかどうかを判定することができる。
【０２８６】
ステップ１６１５で、入力が受信されていると結論したときは、方法１６００は、ステップ１６２０に進んで、受信された入力が表示される目印の特性に正しく応答しているかどうかを判定することができる。
【０２８７】
入力が正しくないとの結論のときは、方法１６００は、ステップ１６４００に進んで、テストを終了するかどうかを判定することができる。
【０２８８】
ステップ１６４０で、テストが終了していないと結論したときは、方法１６００は、ステップ１６４５に進んで、目印が動く既定の率を減少させ、その後、ステップ１６１０に戻って、今ステップ１６４５で減少させた既定の割合で動く視覚的特性を有する目印を表示することができる。
【０２８９】
ステップ１６２０で、正しい入力が受信されると結論したときは、方法１６００は、ステップ１６２５に進んで、テストを終了するかどうかを判定することができる。
【０２９０】
ステップ１６２５で、テストを終了していないと結論したときは、方法１６００は、ステップ１６３０に進んで、既定の率を増大させるかどうかを判定することができる。
【０２９１】
ステップ１６００は、その後、ステップ１６１０に戻って、既定の率（このとき、ステップ１６３０で増加させた既定の率を利用している）で動く視覚的特性を有する目印を表示することができる。
【０２９２】
ステップ１６２５またはステップ１６４０のいずれかで、テストを終了したと結論したときは、方法１６００は、ステップ１６５０に進んで、対象者の視覚的追跡能力を計算することができる。
【０２９３】
ステップ１６５０では、対象者の動体視力の測定値を与えることができる。
【０２９４】
図１７には、対象者の動体視力をテストおよび／またはトレーニングするためのさらなる方法１７００が示されている。
【０２９５】
ステップ１７０５では、対象者に表示するための目印のサイズを決定することができる。
【０２９６】
ステップ１７０５では、明細書に記載の、任意の静止視力テストおよび／またはトレーニング方法を利用することができ、又は、従来の視力検査表テストのような、静止視力をテストおよび／またはトレーニングするための任意の方法を使用することができる。
【０２９７】
ステップ１７１０では、変化する視覚的特性を有する目印を既定の率で動かしながら表示することができる。
【０２９８】
ステップ１７１５では、目印の視覚的特性を監視するとともに応答入力を与えるためのプロンプトとして、第２の刺激を対象者に与えることができる。
【０２９９】
ステップ１７１５でのプロンプトとして与えられた第２の刺激は、変化する視覚的目印を取り囲んで表示されるボックスのように、視覚を利用したものでもよいし、聴覚又は対象者の他の感覚を利用してもよい。
【０３００】
方法１７００は、それからステップ１７２０に進んで、入力が受信されたかどうかを判定することができる。
ステップ１７２０で、入力が受信されていないと結論したときは、方法１７００は、ステップ１７４０に進んで、応答時間が経過したかどうかを判定することができる。
応答時間は、例えば、ステップ１７１５で出されたプロンプトの継続時間によって定義することができるが、動く目印が表示装置での表示を終了したかどうかのような、他のタイムフレームを利用することができる。
【０３０１】
ステップ１７４０で、応答時間を経過していないと結論したときは、方法１７００は、ステップ１７２０に戻って、入力が受信されたかどうかを判定することができる。
【０３０２】
ステップ１７４０で、応答時間を経過したと結論したときは、方法１７００は、ステップ１７４５に進んで、テストを終了したかどうかを判定することができる。
【０３０３】
ステップ１７４５は、さらに以下で扱われる。
【０３０４】
ステップ１７２０で、入力が受信されたと結論したときは、方法１７００は、ステップ１７２５に進んで、受信された入力が応答期間中に表示された目印の特性に正しく応答したものかどうかを判定することができる。
【０３０５】
ステップ１７２５で、受信された入力が目印の特性に正しく応答していないと結論したときは、方法１７００は、ステップ１７４５に進んで、テストおよび／またはトレーニングセッションを終了したかどうかを判定することができる。
【０３０６】
ステップ１７４５で、テストを終了していないと結論したときは、方法１７００は、ステップ１７５０に戻って、規定の率を減少させることができる。
【０３０７】
その後、ステップ１７００は、ステップ１７１０に戻って、既定の割合（今ステップ１７５０で減少させた既定の率を使用している）で動く目印を表示することができる。
【０３０８】
ステップ１７２５の結果、正しい応答が受信されなかったときは、方法１７００は、ステップ１７３０に進んで、テストを終了したかどうかを判定することができる。
【０３０９】
ステップ１７３０で、テストおよび／またはトレーニングセッションを終了していなかったと結論したときは、方法１７００は、ステップ１７３５に進んで、規定の率を増大させることができる。
【０３１０】
ステップ１７３０で、テストおよび／またはトレーニングセッションを終了していなかったと結論したときは、方法１７００は、ステップ１７３５に進んで、規定の率を増大させることができる。
【０３１１】
ステップ１７３０またはステップ１７４５のいずれかで、テストを終了したと結論したときは、方法１７００は、ステップ１７５５に進んで、対象者の視覚的追跡能力を計算することができ、これは、対象者の動体視力を定量化することを含んでもよい。
【０３１２】
図１８には、対象者の動体視力をテストおよび／またはトレーニングするための方法１８００が示されている。
【０３１３】
ステップ１８１０では、正しい入力の各々に対して動きの既定の率を記録することができる。 
【０３１４】
ステップ１８２０では、正しい入力の全てに対しての、動きの既定の率の平均を算出することができる。
【０３１５】
ステップ１８００は、対象者の動体視力をテストおよび／またはトレーニングするための明細書に記載した任意の方法と組み合わせて使用することができる。
【０３１６】
図１９には、対象者の動体視力をテストおよび／またはトレーニングするための、さらなる方法１９００が示されている。
【０３１７】
ステップ１９１０では、テストおよび／またはトレーニングセッションの終了のために要求される正しい入力の全数を定義することができる。
【０３１８】
ステップ１９２０では、受信される正しい入力の数に、インクリメンタルカウントを維持することができる。
【０３１９】
ステップ１９３０では、方法１９００は、正しい応答のカウントがステップ１９１０で定義された正しい入力の全数に達したかどうかを判定するために続行することができる。
【０３２０】
ステップ１９３０で、カウントが定義された全数に達しないと結論したときは、方法１９００は、ステップ１９４０に進んで、テストおよび／またはトレーニングセッションを継続することができる。
【０３２１】
ステップ１９３０で、カウントが定義された数の全体に達したと結論したときは、方法１９００は、ステップ１９５０に進んで、テストおよび／またはトレーニングセッションを終了したと判定することができる。
【０３２２】
図２０には、対象者の動体視力をテストおよび／またはトレーニングするための、さらなる方法２０００が示されている。
【０３２３】
ステップ２０１０では、セッションを終了する前に要求される正しい入力の全数が定義される。
【０３２４】
ステップ２０２０では、与えられた既定の率で生じる正しい入力のパーセンテージが定義される。
【０３２５】
ステップ２０３０では、受信される正しい入力の数を漸次カウントする。
【０３２６】
ステップ２０４０では、正しい入力それぞれに対してステップ２０３０でカウントされた目印の動きの既定の率を記録する。
【０３２７】
ステップ２０５０では、与えられた既定の率に対する正しい入力のパーセンテージが計算される。
【０３２８】
ステップ２０６０では、方法２０００は、カウントが、定義された正しい入力の全数に達しているかどうかを判定する。
【０３２９】
ステップ２０６０で、カウントが定義された数の全体に達していないと結論したときは、方法２０００は、テストを継続するためにステップ２０７０に進み、その後、正しい入力が受信されたときに正しいカウント全体を増やし続けることができる。
【０３３０】
ステップ２０６０で、カウントが、定義された正しい応答の全数に達したと結論したときは、方法２０００は、ステップ２０８０に進むことができる。
【０３３１】
ステップ２０８０では、与えられた既定の率に対する正しい応答のパーセンテージが、ステップ２０２０で定義されたパーセンテージと同等またはそれよりも大きいかどうかを判定することができる。
【０３３２】
ステップ２０８０で、正しい応答のパーセンテージが既定のパーセンテージに達していないと結論したときは、方法２０００は、ステップ２０７０に進んで、テストを継続することができる。
【０３３３】
ステップ２０８０で、与えられた既定の率に対する正しい応答のパーセンテージが所定のパーセンテージに達したか超えたと結論したときは、方法２０００は、ステップ２０９０に進んで、テストを終了したと結論する。
【０３３４】
図２１には、適応性のある目印を使用して視覚的な感度をテストおよび／またはトレーニングするための本発明に従う更なる方法２１００が示されている。
【０３３５】
ステップ２１１０では、目印サイズの範囲、最小目印サイズおよび最大目印サイズを定義することができる。
【０３３６】
ステップ２１１０での定義は、ピクセル数、表示装置上の目印の物理的な絶対寸法、目印が占める対象者の視点からの視野、または、目印のサイズを示す任意の方法でもよい。
【０３３７】
ステップ２１２０では、既定のサイズを有する目印が、初めて対象者に表示される。
【０３３８】
ステップ２１２０で目印が表示された後、所定のサイズを有する目印が、初めて対象者に表示される。
【０３３９】
入力が受信されないときは、ステップ２１３２で、タイムアウトが生じたかどうかを判定する。
【０３４０】
本発明に従うシステムが間での継続時間ステップ２１２０では、所定のサイズを有する目印が、初めて対象者に表示される。
【０３４１】
ステップ２１３２で、タイムアウトが生じてないと結論したときは、方法２１００は、ステップ２１３０で入力を受信するまで待ち続けることができる。
【０３４２】
ステップ２１３２で、タイムアウトが生じたと結論したときは、方法２１００は、ステップ２１３４に進んで、ストラージ装置でタイムアウトを記録する。
【０３４３】
タイムアウト状態を記録するステップ２１３２では、表示される目印のサイズ、表示される目印が有する向きまたは他の特性、テストおよび／またはトレーニングに参加している対象者を識別する情報、または、他の任意の情報のような、タイムアウトの状況を記録することができる。
【０３４４】
ステップ２１３０で、入力が受信されたと結論したときは、方法２１００は、ステップ２１４０に進んで、入力が正しかったかどうかを判定する。
【０３４５】
例えば、入力が、表示される視覚的目印の有する特性を正しく識別することができる。
【０３４６】
もし、入力が間違っていたときは、方法２１００は、ステップ２１４２に進んで、間違った応答を記録する。
【０３４７】
タイムアウトを記録するステップ２１３４と同様、間違った応答を記録するステップ２１４２はさらに、間違った応答が受信された状況と時間に関する追加的な情報を記録することができる。
【０３４８】
ステップ２１３４とステップ２１４２のいずれかの後、方法２１００は、ステップ２１５０に進んで、連続して間違った応答のカウント（このようなカウントが要求されるべき）をインクリメントすることができる。
【０３４９】
ステップ２１５０でインクリメントし続けられるかもしれないような、間違った応答のカウントは、目印サイズを増大させるか、テストおよび／またはトレーニングが個人の視覚的な最小閾値に達したと最終的に結論するかどうかを判定するために使用することができる。
【０３５０】
方法２１００はそれから、ステップ２１５２に進んで、目印サイズを増大させるかどうかを判定することができる。
【０３５１】
ステップ２１５２は、例えば、与えられた目印サイズで対象者によって与えられる連続して間違った応答の数を基にすることができる。
【０３５２】
例えば、対象者によって与えられる連続して間違った応答が２回未満のときは、ステップ２１５２では、方法２１００の更なる繰り返しに対して表示される目印のサイズを増大させないことを判定することができ、その場合、方法２１００は、ステップ２１２０に戻って、同じ既定のサイズを有する目印を表示することができる。
【０３５３】
ステップ２１５２で、目印サイズを増大させるべきと結論したときは、方法２１００は、ステップ２１５４に進んで、目印サイズがすでに、予めステップ２１１０で定義されたように、最大化されたかどうかを判定することができる。
【０３５４】
ステップ２１５４で、目印サイズがすでに最大化していると結論したときは、方法２１００は、ステップ２１７０に進んで、対象者の視覚的な感度は、対象者が所定の最大目印サイズを正確に知覚して応答するための感度よりもよくないとして、当該感度を記録することができる。
【０３５５】
ステップ２１５４で、目印サイズがすでに最大化していないと結論したときは、方法２１００は、ステップ２１５６に進んで、目印を既定のサイズに増大させることができる。
【０３５６】
ステップ２１５４で、目印サイズがすでに最大化していないと結論したときは、方法２１００は、ステップ２１５６に進んで、目印を既定のサイズに増大させることができる。
【０３５７】
ステップ２１５６は、目印サイズの増加量を、図５Ｂと類似の階段状のステップ関数を使用する等、任意の様々な方法で決定することができる。
【０３５８】
しかしながら、ステップ２１４０で、正しい入力が受信されたと結論したときは、方法２１００は、ステップ２１４４に進んで、正しい応答を記録することができる。
【０３５９】
ステップ２１４４は、ステップ２１３４および２１４２で記録すると同様、正しい応答の状況および時間に関する追加的な情報を記録することができる。
【０３６０】
方法２１００はそれから、ステップ２１６０に進んで、連続して正しい応答のカウントをインクリメントすることができる。
【０３６１】
連続して間違った応答のカウントがステップ２１５０でインクリメントされ続けたときと同様に、連続してインクリメントされる正しい応答のカウントがステップ２１６０でインクリメントされ続けられるときは、表示される視覚的目印のサイズを増大させるとき、および／または、テストおよび／またはトレーニング目的のために判定される対象者の視覚的な感度を判定するときを判定するために利用することができる。
【０３６２】
例えば、方法２１００は、ステップ２１６２に進んで、対象者の視覚的な感度を定義するためのサイズが識別されたかどうかを判定することができる。
【０３６３】
ステップ２１６２では、例えば、先に記録された正しい応答、間違った応答およびタイムアウトの応答を利用して、最後の正しい応答に対する目印のサイズを、対象者が１またはそれ以上の間違った応答を与えるときのサイズに達することなく、減少させることができないと結論することができる。
【０３６４】
ステップ２１６２で、対象者の視覚的な感度を定義するための目印のサイズが識別されたと結論したときは、方法２１００は、ステップ２１７０に進んで、視覚的な感度を記録することができる。
【０３６５】
ステップ２１６２で、対象者の視覚的な感度を定義するための目印のサイズがまだ識別されていないと結論したときは、方法２１００は、ステップ２１６４に進んで、目印サイズを減少させるかどうかを判断することができる。
【０３６６】
ステップ２１６４では、例えば、ステップ２１６０でインクリメントされた連続した応答のカウントを、先に図５Ｂで示した例での、２つの連続した正しい応答のような、既定数の連続した応答の場合に限り、次に表示される目印のサイズに減少させるために利用する。
【０３６７】
ステップ２１６４で、目印サイズを減少させるべきでないと結論したときは、方法２１００は、ステップ２１２０に戻って、既定のサイズを有する目印を表示することができる。
【０３６８】
ステップ２１６４で、目印サイズをさらに減少させるべきと結論したときは、方法２１００は、ステップ２１６６に進んで、目印サイズがすでに、ステップ２１１０で先に定義した最小サイズに達したかどうかを判定することができる。
【０３６９】
ステップ２１６６で、目印サイズがまだ最小化されていないと結論したときは、方法２１００は、ステップ２１６８に進んで、目印の既定のサイズを減少させることができる。
【０３７０】
ステップ２１６８では、目印サイズの減少量を、先の図５Ｂの例で示した階段状のアプローチ等の、任意の様々な方法で決定することができる。
【０３７１】
ステップ２１６８で目印の既定サイズを減少させた後、方法２１００は、ステップ２１２０に戻って、ステップ２１６８で決定した新たに減少させた所定サイズを使用して所定のサイズを有する目印を表示することができる。
【０３７２】
ステップ２１６６で、目印サイズがすでに最小化されていると結論したときは、方法２１００は、ステップ２１７０に戻って、最小目印サイズで定義された以下にあるとして、対象者の視覚的な感度を記録することができる。
【０３７３】
勿論、例示的な方法２１００の一部として示した様々なステップは、順番に変更することができ、また、いくつかは、完全に省略することができる。
【０３７４】
図２２には、適応性のある目印を使用して対象者の視覚的な感度をテストおよび／またはトレーニングするための、さらなる方法２２００が示されている。
【０３７５】
ステップ２２１０では、複数の特性の少なくとも１つを有し、複数の特性がそれぞれ、対象者からの複数の入力の１つに対応するとともに、少なくとも１つの変更可能な特徴でそれぞれ、表示することができる、視覚的な目印を定義することができる。
【０３７６】
例えば、ステップ２２１０で、目印に対して定義される視覚的な特性には、ランドルト環の向き、文字または他の表示されるイメージの同一性を含むことができる。
【０３７７】
例えば、ステップ２２１０で定義された視覚的な目印の特性は、目印の視覚的なサイズ、目印表示の継続時間、表示装置上の目印の位置、視覚的な背景に関連する目印のコントラスト、目印の色、目印の動きの状態などの特性とすることができる。
【０３７８】
ステップ２２００は、それからステップ２２２０に進んで、最初に、少なくとも１の特性を有する視覚的な目印を対象者に表示することができるとともに、少なくとも１の特性を持つことができる。
【０３７９】
ステップ２２００は、それからステップ２２３０に進んで、二度目に、表示される視覚的な目印の有する特性についての、対象者の知覚に応答する対象者からの入力を受信することができる。
【０３８０】
ステップ２２３０は、既定の時間量の間に表示される目印に応答することに関する対象者の失敗の結果、タイムアウトが生じたと判定することを含むことができる。
【０３８１】
ステップ２２４０では、表示される目印の特性および特色を、対象者からの入力と、目印が表示された最初の時間と対象者からの入力が受信された二度目の時間との間の経過時間と同様に保存することができる。
【０３８２】
もし、タイムアウト状態がステップ２２３０で受信されたときは、その情報は、ステップ２２４０で同様に記録することができる。
【０３８３】
更に、ステップ２２４０では、対象者の同一性、日付、テストおよび／またはトレーニングセッションに関連付けられた他の視覚的な特性など、反復テストおよび／またはトレーニングに関する追加的な情報を記録および保存することができる。
【０３８４】
方法２２００は、ステップ２２５０に進んで、テストおよび／またはトレーニングが完了したかどうかを判定することができる。
【０３８５】
ステップ２２５０で、セッションが完了したと結論したときは、方法２２００は、ステップ２２６０に進んで、セッション結果の報告を提供することができる。
【０３８６】
ステップ２２６０で生成された報告は、方法２２００の使用を通して手に入れる対象者の視覚的な感度の評価を含んだ任意の詳細の程度でテストおよび／またはトレーニングする間の対象者の遂行能力を記載することができる。
【０３８７】
ステップ２２６０で生成された報告は、ストラージ装置に入力されるデータベース、揮発性または不揮発性の電気記録装置の他の任意のタイプ、方法２２００で使用された同じ表示装置上に与えられた遂行能力の概要、他の表示装置上で表示される情報の概要、紙または他のメディアからの物理的なプリントアウトの結果、若しくは、報告の他の任意のタイプを含むことができる。
【０３８８】
ステップ２２５５で、セッションが完了していなかったと結論したときは、方法２２００は、ステップ２２７０に進んで、表示のための視覚的な目印の視覚的な特徴および／または特性を修正することができる。
【０３８９】
ステップ２２７０からの、視覚的な目印の特徴および／または特性の修正によって、方法２２００は、ステップ２２２０に戻って、修正された特徴および／または特性を有する初めての視覚的目印を表示することができる。
【０３９０】
本明細書中に提供される実施例は、単に本発明の、ある態様を説明するのに役立つ。
【０３９１】
例えば、目印の種類には、文字、数字、一般的な日常の写真などを含み、視覚的な目印として利用することができる。
【０３９２】
更に、対象者が最も正確に知覚する目印サイズの大きさを判定するために、任意の数の方法およびアプローチを利用することができ、同様に、対象者が目印を正しく知覚できるスピードを判定するために、一連の方法およびアプローチを使用することができる。
【０３９３】
更に、表示される目印は、多数の視覚的な特性を持つことができ、所望の特性の知覚は、本発明に従うテストの一部とすることができる。
【０３９４】
勿論、本発明は、表示装置、入力装置、テストユニット、ストラージ装置または他の装置の如何なる特定のタイプに限定されるものではない。
【０３９５】
更に、こうした任意の数の装置またはコンポーネントを使用することができ、本明細書に記載の、いくつかの装置またはコンポーネントは他と組み合わせることができ、または、多数の装置を実装した単一の装置とすることができる。
【図１】
2013500836.tif 000003
【図２Ａ】
2013500836.tif 000004
【図２Ｂ】
2013500836.tif 000005
【図３Ａ】
2013500836.tif 000006
【図３Ｂ】
2013500836.tif 000007
【図３Ｃ】
2013500836.tif 000008
【図４Ａ】
2013500836.tif 000009
【図４Ｂ】
2013500836.tif 000010
【図４Ｃ】
2013500836.tif 000011
【図４Ｄ】
2013500836.tif 000012
【図５】
2013500836.tif 000013
【図６Ａ】
2013500836.tif 000014
【図６Ｂ】
2013500836.tif 000015
【図６Ｃ】
2013500836.tif 000016
【図７Ａ】
2013500836.tif 000017
【図７Ｂ】
2013500836.tif 000018
【図７Ｃ】
2013500836.tif 000019
【図７Ｄ】
2013500836.tif 000020
【図８Ａ】
2013500836.tif 000021
【図８Ｂ】
2013500836.tif 000022
【図８Ｃ】
2013500836.tif 000023
【図８Ｄ】
2013500836.tif 000024
【図９】
2013500836.tif 000025
【図１０】
2013500836.tif 000026
【図１１−１】
2013500836.tif 000027
【図１１−２】
2013500836.tif 000028
【図１２】
2013500836.tif 000029
【図１３】
2013500836.tif 000030
【図１４】
2013500836.tif 000031
【図１５】
2013500836.tif 000032
【図１６】
2013500836.tif 000033
【図１７】
2013500836.tif 000034
【図１８】
2013500836.tif 000035
【図１９】
2013500836.tif 000036
【図２０】
2013500836.tif 000037
【図２１】
2013500836.tif 000038
【図２２】
2013500836.tif 000039
【誤訳訂正書】
【提出日】平成24年4月12日(2012.4.12)
【誤訳訂正１】
【訂正対象書類名】明細書
【訂正対象項目名】全文
【訂正方法】変更
【訂正の内容】
【発明の詳細な説明】
【技術分野】
【０００１】
本発明は、対象者の視覚的な感度のテストおよび／またはトレーニングに関するものである。さらに詳細には、本発明は、静止視力および／または動体視力のような、対象者の視覚的な感度をテストするために、適応性のある視覚的目印を使用することに関するものである。
【背景技術】
【０００２】
個人の視力を正確に評価することは、複数の目的に対して重要である。もちろん、対象者の視力の正確な評価は、個人に対して上手に矯正めがねを処方するための必須条件である。加えて、しかしながら、対象者の視力を正確に評価することは、個人の視覚能力を改善するための、個人に対するトレーニング計画を決定するのに重要な場合がある。視力検査でさえ、個人が従事できる活動を決定するために、例えば、個人が民間航空機のパイロットとして働けるかどうかを決定するために、重要な場合がある。
【０００３】
視力は、視力検査表、又は、これらに類する配置を使用することで評価される。例えば、視力を検査される個人は、個人から既定の距離に配置されたサイズの変化する目印を有するチャートの文字や他の視覚的な目印を、個人が与えられた距離で正しく知覚できる最も小さな目印を判定するために読むことを命令される場合がある。こうした配置はアイケア業界で役立てられている一方、状況いかんによってはこうした装置を使って読むことが許されないことがある。例えば、視力検査表から十分な距離で対象者を配置するために、物理的な空間が求められる。さらに、アルファベット文字のような言語を基にした目印が用いられる視力検査表を使用する場合には、非識字者やネイティブスピーカではない人の視覚的能力の評価が困難または不可能となる場合がある。また、単一のチャート上に多数の目印が混在することは、安定した凝視ができない個人に対して基本的な静止視力とは関係しない困難さを引き起こす可能性がある。さらに、典型的な視力検査表の配列は、提示される目印が対象者に関して変化しないので、個人の静止視力だけしか検査できない。運転や体育活動の参加のような実生活状態では、対象者に対して対象物又は目印が動いているときの動体視力が個人の効果的な活動に重要になる。しかしながら、従来の視力検査表評価は、対象者の動体視力を計測することができない。
【０００４】
視覚的な検査だけでなく、視覚的な訓練は、ある用途では有用であることが知られている一方、効果的かつ効率的に実施することが困難であった。しばしば、視覚的テストおよび視覚的トレーニングは、類似または同一の装置および／または方法を使用する場合がある。
【発明の概要】
【０００５】
本発明は、適応性のある視覚的な目印を使用することによって対象者の視覚的な感度のテストおよび／またはトレーニングを可能にする。本発明によれば、適応性のある目印を使用することにより対象者の視覚的な感度、例えば静止視力のテストおよび／またはトレーニングを可能にする。例えば、目印は、対象者に対して表示装置上に、対象者が視覚的に正しく知覚できない初期サイズで提示させることができる。それから目印を、対象者が目印を正しく知覚するまで、増大させることができる。一連の目印を提示するとともに、これら目印が正しく知覚できたときの対象者からの応答を受信することによって、対象者の静止視力の正確な評価を、視覚的テストおよび／またはトレーニングの一部として行うことができる。
【０００６】
対象者に提示される視覚的目印は、視覚的特性を有することができる。例えば、提示される視覚的目印は、左向き、右向き、上向きまたは下向きのランドルト環とすることができる。提示されるランドルト環の向きを対象者が知覚するとき、対象者は、テストシステムに入力を与えることができる。例えば、対象者は、ジョイスティックを、視覚的目印として提示されるランドルト環の向きに対応する方向に押すことができる。さらなる実施形態によれば、対象者は、マルチタッチデバイスを使用することができ、感応式タッチスクリーンを、提示されるランドルト環の向きに対応する方向に「ストローク」する。知覚されたランドルト環の向きを対象者が正しく入力する時点でのランドルト環のサイズを関連付けることによって、その対象者の視力を、視覚的テストおよび／またはトレーニングの一環として測定することができる。
【０００７】
本発明によれば、対象者の動体視力は、視覚的テストおよび／またはトレーニングの一部として、同様に評価することができる。目印は、表示装置を率の変化するスピードで横切って対象者の視野内を移動することができる。対象者は、各視覚的目印に対して、対象者が正しく目印を知覚するかどうかを指示することができる。例えば、提示される動的目印はそれぞれ何らかの特性を持つことができ、対象者は、その特性に対する当該対象者の知覚を基にした入力を与えることができる。表示される目印の移動スピードおよび／または方向を変更し、かつ、対象者の正しい応答を、正しい応答が与えられる間の目印のスピードおよび／または方向に関連付けることによって、対象者の動体視力の評価を行うことができる。
【０００８】
本発明は、対象者の視覚的目標捕捉能力をテストおよび／またはトレーニングのために使用することができる。視覚的な特性を有する目印は、表示装置上に提示させることができ、対象者は、サッカード運動で視覚的に捕捉しようと試みて、目印の有する視覚的な特性を知覚することができる。本発明に従えば、目印の位置、サイズおよび／または継続時間を変更させることができる。
【０００９】
対象者の動体視力および／または視覚的目標捕捉能力をテストおよび／またはトレーニングするとき、個人の静止視力のついての先の判定が有益である場合がある。例えば、対象者の静止視力能力の評価は、対象者が正確に最初のサイズ以下の静止視力目印を知覚できないことを示す場合がある。その情報に基づいて、対象者の動体視力をテストするために使用される目印サイズは、最初のサイズまたはそれよりも大きなサイズでセットすることができる。これは、個人が知覚できる最小サイズの静止目印よりも小さいサイズであって、動きをもって、または短時間だけ現れる目印を、個人が一般的には正確に知覚できないからである。
【００１０】
対象者の動体視力をテストおよび／またはトレーニングするとき、動的目印の有する視覚的な特性は、一定または可変とすることができる。例えば、動的ランドルト環は、その向きを、表示装置上に表示される全体時間に亘って維持することができる。代替的に、ランドルト環は、表示装置を横切って動くとき、その指向する向きを変えることで転回させることができる。対象者の応答はそのとき、入力が受信された時点または直前でのランドルト環の向きに関連付けることができる。代替的に、視覚的若しくは他の感覚的な指示を、表示装置を横切る目印の動きのどの時点で、対象者が視覚的な目印およびその特性にアクセスすべきかを指示するために使用することができる。例えば、表示装置を横切るランドルト環の動きの或る時点で、音を発生させることができ、または、対象者がそのとき存在しているランドルト環の向きを入力すべき時点で、ボックスをランドルト環周りに表示することができる。
【００１１】
表示装置上の適用可能な目印を使用する対象者の視覚的な感度をテストおよび／またはトレーニングすることによって、視力のテストおよび／またはトレーニングシステムは、従来の視力検査表装置よりもスペースを大幅に減らすことができる。加えて、こうしたシステムに要求されるテストおよび／またはトレーニング装置は、視力テストに関連しない位置“Ａ”まで容易に運ぶことができる。さらに、本発明の利点は、動体視力および／または視覚的目標捕捉能力を、静止視力をテストおよび／またはトレーニングするために使用されるものと同じテストシステムで直接テストおよび／またはトレーニングできることにある。動体視力および／または視覚的目標捕捉能力をより効果的に実施する目的で、静止視力のための評価データを使用することにより、本発明に従う視覚テスト処理をさらに簡略化することができる。
【００１２】
本発明の追加的な目的、利点及び新規な特徴は、以下の記載によって明らかであり、その一部は、当業者による検証により、又は、本発明の実施によって習得されるところから明らかであろう。
【図面の簡単な説明】
【００１３】
【図１】本発明に従うシステムを模式的に示す図である。
【図２Ａ】本発明に従うシステムの実施形態を示す透視図である。
【図２Ｂ】本発明に従うシステムの実施形態を示す透視図である。
【図３】Ａ−Ｃは、本発明に従う適応性のある目印のディスプレイを示す図である。
【図４】Ａ−Ｄは、本発明に従う目印のディスプレイを示す図である。
【図５】ＡおよびＢはそれぞれ、本発明に従う適応性のある目印のサイズ変化の例を時系列的に示す図である。
【図６】Ａ−Ｃは、本発明に従う適応性のある動的視覚目印を示す図である。
【図７】Ａ−Ｄは、本発明に従う適応性のある動的視覚目印を示す図である。
【図８】Ａ−Ｄは、本発明に従う、目標捕捉能力をテストおよび／またはトレーニングするために使用される適応性のある目印を示す図である。
【図９】本発明に従う、複数回反復させたときの動的視覚目印のスピード変化を示す図である。
【図１０】静止視力をテストおよび／またはトレーニングするための、本発明に従う方法を示す図である。
【図１１−１】静止視力をテストおよび／またはトレーニングするための、本発明に従う更なる方法を示す図である。
【図１１−２】静止視力をテストおよび／またはトレーニングするための、本発明に従う更なる方法を示す図である。
【図１２】対象者の静的な視覚能力をテストおよび／またはトレーニングするための、本発明に従う方法を示す図である。
【図１３】対象者の静止視力をテストおよび／またはトレーニングするための、本発明に従う更なる方法を示す図である。
【図１４】対象者の静止視力をテストおよび／またはトレーニングするための、本発明に従う更なる方法を示す図である。
【図１５】本発明に従う、静止視力をテストおよび／またはトレーニングするときに達成できる、例示的な関連目印のサイズ範囲を示す図である。
【図１６】個人の動体視力をテストおよび／またはトレーニングするための、本発明に従う方法を示す図である。
【図１７】個人の動体視力をテストおよび／またはトレーニングするための、本発明に従う方法を示す図である。
【図１８】個人の動体視力をテストおよび／またはトレーニングするための、本発明に従う、更なる方法を示す図である。
【図１９】個人の動体視力をテストおよび／またはトレーニングするための、本発明に従う、更なる方法を示す図である。
【図２０】個人の動体視力をテストおよび／またはトレーニングするための、本発明に従う、更なる方法を示す図である。
【図２１】個人の視覚的な感度をテストおよび／またはトレーニングするための、本発明に従う、更なる方法を示す図である。
【図２２】個人の視覚的な感度をテストおよび／またはトレーニングするための、本発明に従う、更なる方法を示す図である。
【発明を実施するための形態】
【００１４】
本発明の主題を、法的な記載要件を満たすよう特定的に記述する。しかしながら、本明細書記載自体は、特許の範囲を制限することを意図するものではない。むしろ、発明者等は、特許請求の範囲に記載された主題を他の態様で具体化することもでき、他の従来技術又は将来の技術との組み合わせにおいて、本明細書において詳述されるステップと類似する異なるステップまたはステップの組み合わせをも含むことを想定している。
【００１５】
本発明は、変更し又は適応可能な特徴を有する目印を使用して対象者の視覚的な感度を評価する。個人が目印を正しく知覚することができるときの目印が有する特徴は、個人の視覚的感度の指標となる場合がある。本発明に従って目印が有する適応可能な特徴のタイプの例としては、例えば、目印のサイズ及びスピードがある。更に、目印の有する変化する特徴の例には、動きの異なる軌跡、色、背景とのコントラスト、表示時間、テストおよび／またはトレーニングの変更の対象となる他の任意の特徴がある。通常、本発明に従うシステム及び方法では、特徴が変化する目印を表示する表示装置を使用することができる。このような目印の特徴は、潜在的に変化し、与えられた表示期間中の如何なるときも、対象者によって知覚される。対象者からの入力であって、当該対象者の彼又は彼女が目印を知覚したと信じたことを示す入力を受信すると、対象者から受信した入力は、当該入力が表示された目印に対する正しい入力に応答したものかどうかを判定するために試験される場合がある。例えば、対象者は、複数の入力のいずれか１つを受信できる入力装置を備えることができ、それぞれの想定入力は、表示される目印が潜在的に有する特性に対応している。目印が有する特性には、例えば、向き、同一性等があるかもしれない。受信される入力が表示される目印の特性と一致するかどうかを判定することによって、本発明に従うシステムは、表示される目印を個人が視覚的に知覚することの正確さを評価することができる。
【００１６】
図１には、本発明に従うシステム１００が示されている。システム１００は、制御ユニット１１０を含むことができる。制御ユニット１１０は、コンピュータ装置の如何なるタイプをも備えることができる。制御ユニット１１０は更に、以下に示すような、様々な機能を実行するための複数のコンピュータ装置を備えることができる。制御ユニット１１０は、表示装置１２０に対して接続部１５２を介して接続することができる。接続部１５２は、無線又は有線接続の如何なるタイプとすることができる。表示装置１２０は、モニタ又はプロジェクションシステムの如何なるタイプをも備えることができ、液晶ディスプレイ、テレビ、スクリーンプロジェクタ、ディスプレイゴーグル、知覚的な視覚トンネル、又は、対象者によって知覚されることが可能な視覚的目印を表示できる装置の他の如何なるタイプも含むことができる。制御ユニット１１０は、表示装置１２０上に表示される目印と、表示される目印が有する特性を制御するために動作することができる。
【００１７】
システム１００は更に、入力装置１３０を含み、テスト用ユニット１１０に接続部１５４を介して接続されている。接続部１５４は、有線または無線接続の任意のタイプを含むことができる。入力装置１３０は、対象者からの入力を受信できる装置又は装置の組み合わせの如何なるタイプをも含むことができる。許容される入力装置の例には、マルチタッチ装置、ジョイスティック、ボタン、フットペダル、ジェスチャー認識システム、音声認識システム及び、他の如何なるタイプの装置をも含むことができる。更に、表示装置は、タッチスクリーンの如何なるタイプをも含むことができ、それによって、シングルタッチスクリーンを表示装置１２０と入力装置１３０の両方で構成することも可能である。入力装置１３０は、或る複数の想定入力を対象者から受信するために動作することができる。例えば、入力装置１３０として、前後左右に操作できるジョイスティックを利用することができる。米国特許出願第12/534,605号 (代理人整理番号NIKE.146745)等で詳述したように、入力装置として、マルチタッチ装置を使用することができる。同様に、入力装置１３０の一部として、限られた数の矢印キー、文字キー、カラーボタン等を利用することができる。任意的に、入力装置１３０を介して入力された複数の想定入力のそれぞれは、表示装置上に潜在的に表示される目印の視覚的な特性に対応させることができる。制御ユニット１１０は、入力装置１３０から受信される入力を評価することができ、この入力を表示装置１２０上に表示される目印と比較して、受信された入力が表示される目印に対して正しく応答しているかどうかを判定する。鏡及び／又はレンズはまた、対象者と表示される目印との間の視覚的な距離を増加させ、又は、減少させるために使用できるけれども、表示装置１２０に対する入力装置１３０の位置は、対象者と表示される目印との間の距離で効果的に規定することができる。
【００１８】
システム１００は、更にストレージ装置１４０を含む場合がある。ストレージ装置１４０は、制御ユニット１１０に接続部１５６を介して接続することができる。接続部１５６は、無線又は有線接続の如何なるタイプとすることができる。ストレージ装置１４０は、ハードディスクドライブ、フラッシュメモリ、フロッピー（登録商標）ディスク、ＣＤ、ＤＶＤ、又は、これに類するような、コンピュータストレージメディアの如何なるタイプとすることができる。制御ユニット１１０は、対象者によって生成されたテスト及び／又はトレーニングデータを保存するために、ストレージ装置１４０を利用することができる。テスト及び／又はトレーニングデータは、例えば、入力装置１３０から受信された正確な入力の数、表示のサイズ又はスピード又は継続時間のような、正確な応答及び／又は不正確な応答が入力装置１３０から受信されたときに表示装置１２０上に表示される目印の特徴及び、こうしたデータの様々な解析値を含むことができる。当業者によれば、ストレージ装置１４０を制御ユニット１１０に対して一体にし、或いは、完全に分離した構造にできることは明らかである。同様に、当業者によれば、制御ユニット１１０の様々な態様は、図１に示すような、単一の装置よりもむしろ、複数のコンピュータ装置で行われる場合があることは明らかである。
【００１９】
図２Ａには、本発明に従う、システム２００の例が示されている。システム２００は、システム２００のコンポーネントの一部又は全部を収納するブース２０５を利用することができる。システム２００は、視覚的目印を表示することができる表示装置２２０を備える。視覚的目印は、目印２２５のように、視覚的な特性を有し、視覚的なテスト及び／又はトレーニングの目的に使用することができる。表示装置２２０が視覚的なテスト及び／又はトレーニングの目的のために対象者２６０によって知覚することができるように、当該表示装置２２０は、対象者２６０に関連付けられて位置決めされる場合がある。対象者２６０は、表示装置２２０から第１の距離２７０の位置にいる。入力装置２３０には、対象者２６０が目印２２５の知覚に基づいた入力を行うために、対象者２６０が利用できるジョイスティックを設けることができる。代替的に、入力装置２３０は、マルチタッチデバイスを備える場合がある。制御ユニット２１０は、表示装置２２０に、接続部２５２を介して接続することができるとともに、入力装置２３０に、接続部２５４を介して接続することができる。図２Ａに示すシステム２００は、単に例示的なものであり、本発明に従えば、他の形状、構成、コンポーネント及び、コンポーネントの組み合わせを利用することができる。
【００２０】
図２Ｂには、本発明に従う、テスト及び／又はトレーニング用ブース２０５の代替的な例が示されている。図２Ｂに示す例では、対象者２６０は、入力装置として、マルチタッチデバイス２９０を利用する。マルチタッチデバイス２９０は、目印２２５のような、表示される目印の向きの方向にスワイプさせることができる。マルチタッチデバイス２９０は、制御ユニット２１０に、無線リンク２５５を介して無線通信することができる。無線リンク２５５は、「Bluetooth(登録商標）」及び／又は様々な「802.11プロトコル」を含む、如何なる無線プロトコルを利用してもよい。図２Ｂに示す例では、対象者２６０は、表示装置２２０から第２の距離２７１に配置されている。第２の距離２７１は、対象者２６０に対して、ほぼ光学無限遠に対して十分な距離とすることができるが、任意の距離とすることもできる。視覚的な感度をテスト及び／又はトレーニングするためには、第２の距離２７１としてほぼ１６フィートが有益な場合がある。
【００２１】
図３Ａ−３Ｃを参照すると、適応性のある目印３２５が、異なる時間で表示装置３２０上に表示された状態が示されている。図３Ａには、第１回目の目印３２５が示されている。図３Ａに示す時点において、目印３２５は、対象者（図示せず）が知覚するには小さすぎるサイズで表示装置３２５上に表示されている。それ故、入力がジョイスティック３３０を使用することで入力されることはない。２回目の目印３２５が、図３Ｂに示されている。図３Ｂに示す時点において、目印３２５は、対象者（図示せず）が知覚できるサイズ以下を維持し、これは、図３Ｂに示す時点ではジョイスティック３３０で記録される入力がないことを意味している。図３Ｃに示す時点において、目印３２５は、対象者（図示せず）が目印３２５の有する視覚的な特性を知覚できるサイズに増加している。図３Ａ−３Ｃに示す例において、目印３２５は、右の向きを有するランドルト環で構成されている。従って、対象者（図示せず）が目印３２５を右向きとして知覚したとき、ジョイスティック３３０は、図３Ｃの矢印３４２に示すように、右に押し倒される。対象者（図示せず）は、ジョイスティック３３０を操作することによって、対象者（図示せず）が目印３２５を知覚できるサイズに当該目印３２５が達するたびに、知覚された目印３２５の向きを指示するための入力を入力することで、視覚テスト及び／又はテストの一部として、対象者の視力を評価することができる。
【００２２】
図４Ａ−４Ｄを参照すると、異なる視覚的な特性を有する複数の目印が入力装置４３０と一体に示されており、入力装置４３０は、表示された目印が有する複数の特性に対応する一連の入力を受信することができる。図４Ａ−４Ｄに示す例において、例示的に図示した目印はランドルト環であり、相互に排他的な４つの向きのうちの１つを例示的な特性として有している。本発明に従えば、他の種類の目印を使用することができ、目印は、向き以外の特性を有する場合がある。例えば、目印は、同一の特性を有する英語のアルファベットの文字とすることができる。更に、目印は、多くの非排他的な特性、例えば同一性および向きを有する場合がある。勿論、特性に対応する入力は、図４Ａ−４Ｄに示したジョイスティックを操作する例の他にも、多くの方法で行われる場合がある。例えば、本発明を逸脱することなく、マルチタッチデバイス、キーボード、ボタン、音声認識などを使用することができる。
【００２３】
図４Ａを参照すると、第１目印４２５は、表示装置４２０で表示される上向きのランドルト環で構成することができる。ジョイスティック４３０は、対象者（図示せず）により対応する方向４４１に操作することができ、これにより対象者（図示せず）が第１目印４２５を知覚するとともに第１目印４２５が有する視覚的な特性を知覚したことを指示する。
【００２４】
図４Ｂを参照すると、第２目印４２６は、表示装置４２０で表示される右向きのランドルト環で構成することができる。ジョイスティック４３０は、対象者（図示せず）により対応する方向４４２に操作することができ、これにより対象者（図示せず）が第２目印４２６を知覚するとともに第２目印４２６が有する視覚的な特性を知覚したことを指示する。
【００２５】
図４Ｃを参照すると、第３目印４２７は、表示装置４２０で表示される下向きのランドルト環で構成することができる。ジョイスティック４３０は、対象者（図示せず）が第３目印４２７の向きを知覚したときに、下向きの方向４４３に操作することができる。
【００２６】
図４Ｄを参照すると、第４目印４２８は、表示装置４２０で表示される左向きのランドルト環で構成することができる。ジョイスティック４３０は、対象者（図示せず）が対応する方向４４４に操作することができ、これにより対象者（図示せず）が第４目印４２８を知覚するとともに第４目印４２８が有する視覚的な特性を知覚したことを指示する。
【００２７】
図５Ａを参照すると、本発明に従って目印が変化する例として、目印のサイズが時間に関連する例が示されている。図５Ａに示した例では、目印のサイズが時間に対して線形的な関係で変化する。初期時間ｔ0では、初期目印サイズを有する目印が表示される。初期目印サイズは、テストされるどんな個人も知覚できないように、選択することができる。目印サイズは、それから、図５Ａに示す線形速度のように、入力が例えば時間ｔ1で受信されるまで、実質的に一定の率で大きくなる。時間ｔ1で、目印は、あるサイズを有する。入力の時間ｔ1及び／又は入力での目印サイズは記憶することができ、個人の視力を評価することに役立つ場合がある。例えば、時間ｔ2のように、ある時点で、目印は、自己の最大許容サイズに達する。最大許容目印サイズは、視覚的感度のテスト及び／又はトレーニングシステムの構成において既定しておくことができる。 例えば、ある対象者が、表示される目印のサイズを更に増加させることが保証されない視力の重大な欠陥を患っている場合があるかも知れない。更に、表示装置によっては、表示可能な目印サイズを制限し、又は、事実上制限する場合がある。いずれの場合も、ある時点で、目印を更に大きくできないと、テスト方法論で基本的に、テストを終わらせることができる「タイムアウト」シナリオとなり、他の目印は、初期目印サイズで表示され、その後に表示される目印の初期目印サイズに調整され、又は、他の措置が講じられる。
【００２８】
図５Ｂを参照すると、目印のサイズが時間に関連する本発明の例として、目印サイズを段階的に調整する例が示されている。図５Ｂに示す例では、目印は、具体的に既定された複数のサイズのいずれかを有し、この例では、０．２５刻みで最小０．２５から最大４．００まで及ぶ。図５Ｂに示す例のように、目印サイズの数値的記述には、絶対寸法（即ち、インチやセンチメートル等）、対象者の視野角度の大きさ、又は、表示装置上にある目印サイズのピクセル数を基にしたものを参照する場合がある。このサイズ範囲は、単に例示であるが、より多くの、又は、より少ない離散的なサイズレベルを使用して与えられる場合がある。想定目印サイズは、距離を基に選択することができ、対象者は、視覚的感度のテスト及び／又はトレーニング能力に対する十分な範囲を与えるために、表示装置から位置決めされる。例えば、個人の視覚的なスキルをトレーニング又は評価するために、０．２５レベルよりも良い必要はない場合があるので、それより下の視力レベルの目印は必要がない。同様に、本発明の特定の実施形態では、２０／２００よりも悪い対象者の視力をテスト及び／又はトレーニングすることを求められない場合がある。目印の特定のサイズ範囲が、必要とされる最小サイズと必要とされる最大サイズとの間での十分な評価点を与えるために、選択される場合がある。図５Ｂに示す例では、目印は最初に、時間ｔ0でサイズ２．００を有するものとして表示される。目印は、そのサイズで、少なくとも、対象者（図示せず）が応答できる既定の期間に表示される。図５Ｂに黒丸で示されているように、時間ｔ1では、対象者は正しい応答を与える。その後、目印は、同じサイズを維持する一方、異なる特性を有するように変更させることができる。時間ｔ1からｔ2まで、目印はなお、サイズ２．００であり、対象者は、黒丸で示すように、別の正しい応答を与える。時間ｔ1からｔ2まで、目印はなお、サイズ２．００であり、対象者は、黒丸で示すように、別の正しい応答を与える。その後、白丸で示すように時間ｔ3にて、対象者（図示せず）は、間違った応答を与えるか、表示される目印に応答するのを失敗する場合がある。時間ｔ3にて、表示される目印は、サイズ１．００を維持する一方、異なる特性を有するように変更させることができる。図５Ｂに示す例では、対象者(図示せず)は、正しくない応答を与えるか、時間ｔ4で表示される目印に応答するのを失敗する。その後、表示される目印は、時間ｔ4で半ステップだけ拡大され、サイズ１．５０になる。黒丸で示すように、時間ｔ5では、対象者は正しい応答を与える。その後、表示される目印は、異なる特性を有するように変更され、なお再びサイズ１．５０で表示される。黒丸で示すように、対象者（図示せず）は、時間ｔ6で正しく応答する。その後、表示される目印は、そのサイズをサイズ１．２５に、四分の一ステップだけ減少させることができる。図５Ｂの例に示すように、対象者（図示せず）は、サイズ１．２５の時間ｔ7で正しい応答を与え、サイズ１．２５の時間ｔ8で不正確な応答又が応答せず、サイズ１．２５の時間ｔ9及びｔ10で正しい応答を与える。この時点で、図５Ｂに示す例では、対象者（図示せず）の視力が、現時点で、サイズ１．２��で表示される目印に応答できると結論付けられるとの判定をもって終了することができる。図５Ｂで示すアルゴリズムに変えて、又は、当該アルゴリズムとともに、他の種類の階段状のステップアルゴリズムを使用することもできる。
【００２９】
図６Ａ−６Ｃには、動体視力をテスト／トレーニングする目的で使用される、適応性のある視覚的目印の例が示されている。一般的に言えば、図６Ａ−６Ｃは、異なる動きの速度を使用する異なるトライアルにおいて、視覚的特性を有した動く視覚的目印を示す。各トライアルでは、対象者（図示せぬ）は、動く視覚的目印と当該目印の有する特性を知覚しようと試みることができ、対象者（図示せぬ）は、対象者（図示せぬ）によって知覚された視覚的特性（この実施例では向き）に応答する入力を与える。図６Ａ−６Ｃに示すように、目印スピードを繰り返し変えることは、個人の動体視力がどのくらいのスピードで、表示される目印の視覚的特性を正しく知覚することができないのかを示す場合がある。更に、動きの方向及び／又は角度は、異なる反復で変更することができ、これにより、例えば、動きの異なるタイプに対する、対象者の相対な視覚的な能力を判定することができる。更に、目印の動きは、一直線に、及び／又は、一定のスピードである必要はない。他の例示的な実施例では、目印の進行に関連付けられた不規則な動き、及び／又は、目印が進む予測不可能な位置を使用することができる。不規則な動き、及び／又は、予測不可能な位置から導かれた不一致は、対象者が、テスト及び／又はトレーニング動作中、サッケード運動を依存することを阻止する。加えて、テスト及び／又はトレーニング動作中、任意の位置及び／又は時間に、目印の提示を生じさせることが考えられる。
【００３０】
図６Ａ−６Ｃでは、与えられた目印が表示装置６２０を横切って移動するときのスピードは、目印に関連付けられた矢印の長さによって示されている一方、動きの方向は、矢印の方向によって示されている。図６Ａ−６Ｃに示す例示的な目印が右から左に表示装置を横切って移動する間、本発明に従う、与えられた目印は、表示装置上を、斜めを含む任意の方向に、又は、表示装置を横切る他の角度で移動することができ、更に、与えられた任意のテスト目印が、１方向以上、即ち、ある反復では右から左に、他の反復では左から右に移動することができ、上下又は斜めも同様であることを認識できるだろう。更に、当業者であれば、図示例のランドルト環ではない目印を使用することができ、また、指向する向き以外の特性を目印に持たせることができることを認識できるだろう。
【００３１】
図６Ａを参照すると、表示装置６２０上の第１目印６２５には、視覚的な特性を持たせることができ、本例では、右向きである。第１目印６２５は、第１スピード６６１で動かすことができる。対象者（図示せず）は、第１目印６２５と、当該目印６２５が有する視覚的特性とを知覚したことを、第１目印６２５の有する特性に対応した方向６４４に、ジョイスティック６３０を操作することによって指示する。
【００３２】
図６Ｂを参照すると、表示装置６２０上の第２目印６２６には、視覚的な特性を持たせることができ、本例では、上向きである。第２目印６２６は、第２スピード６６２で動かすことができ、第２スピード６６２は、本例では、第１スピード６６１を超える。対象者（図示せず）は、第２目印６２６と、当該目印６２６が有する視覚的特性とを知覚したことを、第２目印６２６の有する特性に対応した方向６４１に、ジョイスティック６３０を操作することによって指示する。
【００３３】
図６Ｃを参照すると、表示装置６２０上の第３目印６２７には、視覚的な特性を持たせることができ、本例では、左向きである。第３目印６２７は、第３スピード６６３で動かすことができる。図６Ａ−６Ｃに示すように、第３スピード６６３は、第１スピード６６１を超え、実質的に、第２スピード６６２も超える。本例では、対象者（図示せず）は、第３目印６２７の向きを知覚することができず、従って、入力は、ジョイスティック６３０を操作することによって記録される。勿論、対象者は、表示される目印の視覚的な特性を不正確に知覚し、何らの入力も与えないのではなく、不正確な入力を与える。更に、時として、対象者は、表示される目印の視覚的な特性を知覚することができない可能性があるが、目印の有する視覚的な特性で正確に推定し、これによって、正しい入力を与える。推測の正否は、十分な数の反復を使用することで判断することができる。
【００３４】
図７Ａ−７Ｄには、表示装置７２０を横切って移動する目印７２５が、異なる時点で示されている。図７Ａ−７Ｄに例示の目印７２５は、向きの特性を有するランドルト環であるが、他のタイプの目印及び／又は目印の有する他の特性を、本発明の範囲を逸脱することなく使用することができる。更に図７Ａ−７Ｄの例に示すように、目印７２５は、変化する特性を有し、この場合、特性は、目印７２５が表示装置７２０のスクリーンを横切って移動するときの向きである。目印７２５は、タンブリングランドルト環として記載することができ、目印７２５が表示装置７２０のスクリーンを横切って移動するとき、目印７２５の向きが動き、又は、「転回」する。図７Ａ−７Ｄに示す例では、第２の刺激によって応答が指示されるまで、ジョイスティック７３０を使用する対象者（図示せず）からの入力は要求されない。本例では、第２の刺激は、目印７２５周りに表示されたボックス７５５で構成されている。図７Ａに示す第１回目で、目印７２５は、表示装置７２０の左端近くに配置されるとともに、右向きを持たせている。図７Ｂに示す第２回目で、目印７２５は、表示装置７２０の中心左に移動するとともに、上向きを持たせている。図７Ｃに示す時点で、目印７２５は、表示装置７２０の中心右に移動するとともに、下向きを持たせている。この例の図７Ｃに示す時点で、例示的な第２の刺激としてのボックス７５５が目印７２５の周りに表示され、対象者（図示せず）に対し、対象者が目印７２５の有する特性、この例では、下向きを知覚したかどうかの入力を登録することを指示する。対象者(図示せず)は、目印７２５の有する下向き特性を知覚したことを、応答動作７４３にジョイスティック７３０を操作することで指示することができる。図７Ｄの時点で、目印７２５は、表示装置７２０の更に右側に進み、左の向きを持つ。他の二次的な刺激が対象者に指示するために使用される場合があり、対象者は二次的な刺激のボックス７５５の表示の使用を超えた入力を入力すべきであることを指示される。例えば、音声、色の変化、その他の刺激が、対象者に対し、表示される目印の必須の視覚的特性が対象者に知覚できるときに入力を行うように指示する。
【００３５】
図８Ａ−８Ｂには、目標捕捉テスト及び／又はトレーニングで使用する適応性のある目印が示されている。図８Ａ−８Ｂに示す例では、表示装置８２０は、焦点８２１を表示装置８２０の中心又はその近くに表示する。対象者（図示せず）は、視覚的に焦点８２１に焦点を合わせることができ、対象者が焦点８２１を見ている間、適応性のある目印は、表示装置８２０の、コーナーのような、ある位置で表示される。しかしながら、目印は表示装置の任意の位置で表示され、実際には、表示される目印の位置は、本発明に従う、適応性のある特徴である。即ち、焦点８２１からの距離及び／又は表示装置８２０上の異なる注視角度を変更することで、トレーニング及び／又はテストを行うことが、個人の目標捕捉能力を発達させる場合がある。一般的に言えば、焦点８２１に焦点を合わせている対象者（図示せず）は、サッカード運動が、表示される目印を視覚的に習得するようになるとともに、目印の有する特性を知覚するようになる。図８Ａ−８Ｃに示す例では、目印は、向きを持ったランドルト環で構成されている。目標捕捉テスト及び／又はトレーニングのために表示される目印のサイズは、本明細書に記載されるような適応性のある視覚的目印を使用して判定された、静体視力のような視覚的感度の事前評価に基づいている。更に、図８Ａ−８Ｄに示す例は、入力装置としてマルチタッチデバイス８９０を使用する。マルチタッチデバイス８９０は、表示されるランドルト環の向きの方向を指示するために、対象者（図示せず）の指でスワイプさせることができる。図８Ａに示す例では、第１視覚的目印８２５は、表示装置８２０の上部左側コーナーに現れており、対象者（図示せず）は、マルチタッチデバイス８９０を、矢印８９１で示すように右にスワイプさせる。図８Ｂに示す例では、視覚的目印８２６は、表示装置８２０の上部右側コーナーに現れた下向きのランドルト環で構成されており、これに対して、対象者（図示せず）は、マルチタッチデバイス８９０を、矢印８９２で示す下向きにスワイプさせることにより応答する。図８Ｃに示す例では、視覚的目印８２７は、表示装置８２０の下部右側コーナーに現れ、左向きのランドルト環で構成されており、これに対して、対象者（図示せず）は、マルチタッチデバイス８９０を使用して、矢印８９３で示す左向きにスワイプさせることにより応答する。図８Ｄに示す例では、視覚的目印８２８は、表示装置８２０の下部左側コーナーにある、上向きのランドルト環で構成されており、これに対して、対象者（図示せず）は、マルチタッチデバイス８９０を使用して、矢印８９４で示す上向きにスワイプさせることにより応答する。図８Ａ−８Ｄに示す例では、表示される視覚的目印８２５，８２６，８２７，８２８は、テスト及び／又はトレーニングの異なる反復で変更する特徴を持つ。例えば、ある目印が表示される間の継続時間を変更させることができ、表示される目印の焦点８２１からの距離及び／又は方向を変更させることができ、目印の色を変更させることができ、目印特性と背景とのコントラストを変更させることができ、目印のサイズを変更させることができ、又は、表示される目印の任意の視覚的特徴であって視覚的背景と別体若しくは一体の視覚的特徴を変更させることができる。
【００３６】
図９には、図６Ａ−６Ｄに示す異なるトライアルの反復の例のような、異なるトライアルの反復のための目印スピードが示されている。図９では、黒丸が、表示される目印特性に応答した正しい入力であることを示す一方、開口／中空の白丸／円が、表示される目印特性に応答しない間違った応答であるか応答しないかのいずれかであることを示す。図９に示す例では、複数のトライアルが示されている。図９に示す例では、目印は、最低スピードから最高スピードまでをＳ1,Ｓ2,Ｓ3,Ｓ4,Ｓ5として表示した５つのスピードの１つで動く。この例では、トライアルの反復Ｉ1は、黒丸で示すように、Ｓ1で動く目印を含み、対象者は、表示される目印に応答して正しい入力を与える。更に、図９の例に示すように、Ｉ2で示す第２の反復は、黒丸で示すように、Ｓ1で示す第１のスピードで動く目印を含む。反復Ｉ2は、黒丸で示すように、対象者からの正しい応答の結果である。図９の例では、反復Ｉ3は、スピードＳ5で生じるとともに、白丸で示すように、対象者からの間違った応答か、対象者からの応答がないかのどちらかの結果である。図９に示す例では、反復Ｉ4は、スピードＳ5で生じ、これもまた、白丸で示すように、対象者からの間違った応答か、対象者からの応答がないかのどちらかの結果である。この例ではその後、対象者は、スピードＳ3での反復Ｉ5及びＩ6に正確な応答を与え、スピードＳ4での反復Ｉ7に間違った応答をしたか、応答せず、そして、スピードＳ4での反復Ｉ8及びＩ9に正しい応答を２つ連続して与える。図９の例として示された動体視力テストは、更に反復Ｉ9の後も続行できるが、対象者の動体視力がスピードＳ4で動く目印の特性を分析できるとして計測されることで終了させるために判定させることができる。
【００３７】
図１０には、本発明に従う、静止視力をテスト及び／又はトレーニングするための方法１０００が示されている。ステップ１０１０では、対象者が見ることができる視覚的特性を持つ視覚的目印を表示装置上に表示させる。ステップ１０２０では、表示される目印のサイズを変更する。例えば、ステップ１０２０では、表示される視覚的目印のサイズを増大させることができる。ステップ１０３０では、表示される目印及び／又は表示される目印の特性を対象者が知覚したことを示す対象者からの入力を受信することができる。入力は、表示される目印の有する特性に対応させることができる。ステップ１０４０では、入力が受信されたときの目印のサイズを記録することができる。ステップ１０１０では、任意のタイプの表示装置を利用することができ、ステップ１０３０では、任意のタイプの入力装置を利用することができ、そして、ステップ１０４０では、ストレージ装置の任意のタイプを利用することができる。方法１０００と明細書に記載した付加的な方法のステップの実行を、明細書に記載したような、１又はそれ以上の制御ユニットによって制御し、指示し、又は、監視することができる。
【００３８】
図１１には、さらに本発明に従う方法１１００が示されている。ステップ１１０５では、複数の視覚的特性のうちの少なくとも１つを有する視覚的目印を定義することができる。ステップ１１１０では、複数の入力を定義することができ、各入力は、複数の視覚的特性の１つに対応する。ステップ１１１０で定義される入力は、ステップ１１０５で定義される視覚的特性で、一対一対応とすることができる。例えば、ステップ１１０５では、視覚的目印として、複数の視覚的特性、すなわち、上向き、下向き、左向きまたは右向きの向きを有するランドルト環を定義することができる。同様に、この例では、ステップ１１１０では、複数の入力を定義することができ、各入力は、表示されるランドルト環と同様の向きに対応するジョイスティックの上、下、左または右の動きである。ステップ１１１５では、表示装置を対象者に提供することにより、表示装置で、対象者によって見ることができるとともに定義される視覚的目印を表示することができる。ステップ１１２０では、入力装置を対象者に提供することができ、入力装置は、定義された入力を入力するために使用することができる。ステップ１１２０では、ステップ１１１０で提示された以上の入力を受信することができる入力装置を提供することができる。ステップ１１２５では、時間ｔ0での特性を有する目印を表示装置上に表示することができ、表示される目印は、時間ｔ0で第１のサイズを有する。ステップ１１３０では、表示される目印のサイズを、実質的に一定の率で増大させることができる。ステップ１１３０の実質的に一定の率は、線形または一定の階段形とすることができる。ステップ１１４５では、入力装置からの入力が受信されたかどうかを判定する。入力が受信されないときは、方法１１００は、ステップ１０６５に進み、目印がその最大サイズに達したかどうかを判定する。ステップ１１６５で、目印がまだその最大サイズに達していないと結論したときは、方法１１００は、ステップ１１４５に戻って、入力が受信されたかどうかを判定する。ステップ１１６５で、目印が最大サイズに達したと結論したときは、方法１１００は、ステップ１１７０に進んで、応答失敗を記録する。ステップ１１４５で、入力が受信されたどうかかが「yes」であるとして結論したときは、方法１１００は、ステップ１１５０に進んで、受信された入力が表示された目印の特性に対応しているかどうかを判定する。ステップ１１５０で、入力が表示された目印の特性に対応していないと結論したときは、方法１１００は、ステップ１１７５に進んで、間違った応答を記録する。ステップ１１５０の結論が、入力が表示された目印の特性に対応していると判定することであるときは、方法１１００は、ステップ１１６０に進んで、正しい応答に対する目印サイズ、必要に応じて、応答および／または目印の有する特性が正しいことを記録する。ステップ１１６０，１１７０及びステップ１１７５のいずれからも、方法１１００は、ステップ１１６０に進んで、正しい応答に対する目印サイズが確立されたかどうかを判定する。ステップ１１６０では、例えば、対象者の応答が対象者の静止視力を判定できるものかを判定することができる。ステップ１１６０で、正しい���答に対する目印サイズが確立されないと結論したときは、方法１１００は、ステップ１１２５に戻って他の目印を表示する。ステップ１１６０で、正しい応答に対する目印サイズが確立されたと結論したときは、方法１１００は、ステップ１１８０に進んで、対象者に対して測定した目印サイズ／視力を記録する。
【００３９】
図１２には、知覚可能な目印サイズが確立されているかどうかを評価するための方法１２００が示されている。ステップ１２１０では、既定数の知覚的目印が表示される。例えば、既定数の知覚的目印は、１０個の目印で構成することができ、さらに記載のように、対象者が正しい応答を与えるときの平均サイズを得るために使用することができる。ステップ１２２０では、入力を、表示される各目印に対応して受信することができる。ステップ１２３０では、正しい入力が受信されるときに表示される目印サイズを記録することができる。ステップ１２４０では、正しい入力が受信されるときに表示される目印の平均サイズを計算することができる。この方法では、図１１のステップ１１６０のようなステップは、既定数の視覚的目印に対して正しい入力が受信されるときのサイズを単純に平均する構成とすることができる。
【００４０】
図１３には、知覚可能な目印のサイズが確立されたかどうかを評価するためのさらなる方法１３００が示されている。ステップ１３１０では、視覚的目印が表示されるとともに、表示される目印に対応する入力を、既定数の正しい応答を受信するまで受信することができる。例えば、目印の表示及び入力の受信を、対象者が正しい応答を１０回与えるまで続けることができる。ステップ１３２０では、正しい応答が受信されたときに表示される目印の平均サイズを計算することができる。方法１２００と同様に、方法１３００は、どのくらいの目印のサイズまで対象者が目印および／またはその表示される特性を正しく知覚できるのかを判定するために利用することができる。方法１２００とは異なり、方法１３００は、既定数のトライアルよりも、応答の正しさにかかわらず、既定の正しい応答の数を要求する。
【００４１】
図１４には、知覚可能な確立された目印のサイズを評価するための方法１４００が示されている。ステップ１４１０では、関連する視覚的目印のサイズの範囲を定義することができる。ステップ１４１０で定義されたサイズの範囲は、ある表示装置上に表示されたときにプラスマイナス２センチメートルの絶対寸法範囲のような、絶対的なものとすることができる。或いは、ステップ１４１０で定義されたサイズの範囲は、表示される目印の直径の１０パーセント以内のような、相対的なものとすることができる。ステップ１４２０では、表示される視覚的目印に正しく応答する複数の入力を受信することができるとともに、各正しい入力に対して、表示される目印サイズを記録することができる。ステップ１４３０では、正しい応答を閾値量まで受信したかどうかを判定することができる。ステップ１４４０では、互いに関連する視覚的目印サイズの既定範囲内に収まるサイズを有する目印に対して、正しい応答がどのくらいのパーセンテージで与えられたかを判定することができる。ステップ１４５０では、ステップ１４１０の関連する視覚的目印サイズの既定範囲に収まるサイズを有する目印に対する正しい応答のパーセンテージが、既定のパーセンテージの閾値、例えば８０パーセントを越えるときは、そのサイズは個人の静止視力に対応する範囲内の平均サイズであると判定する。
【００４２】
図１５には、関連目印サイズの既定の範囲、並びに、テストおよび／またはトレーニングの結果が示されている。図１５に示す例では、１０個の目印サイズがＳ1からＳ10まで示されている。さらに、関連目印サイズの範囲が図表的に示されている。目印Ｓ1−Ｓ10の各サイズは、対象者からの正しい入力に対応している。図１５の例で示すように、正しい応答の７０パーセント、即ち、１０のうちの７は、既定の関連目印サイズ範囲内の目印サイズであった。方法１４００のステップ１４５０で既定のパーセンテージの閾値図が７０パーセントであるときには、サイズＳ10の１０番目の正しい入力の受取は、目印サイズの平均で計算されたテストの結論を、個人の静止視力の測定として、関連目印サイズ範囲に収めることができる。図１５に示す例では、正しい応答に対応する目印のサイズは,Ｓ3,Ｓ4,Ｓ5, Ｓ7,Ｓ8,Ｓ9およびＳ10であった。
【００４３】
図１６には、対象者の動体視力をテストおよび／またはトレーニングするための方法１６００が示されている。ステップ１６０５では、対象者に表示するための目印のサイズが決定される。ステップ１６０５では、明細書に記載した、静止視力をテストするための方法の任意の方法を利用することができ、または、従来の視力検査表テストのような、静止視力を測定するための他の方法を利用することができる。ステップ１６１０では、既定の率で動く視覚的特性を有する目印が表示される。ステップ１６１５では、入力が受信されたかどうかを判定する。ステップ１６１５で、入力が受信されていないと結論したときは、方法１６００は、ステップ１６３５に進んで、目印が有効表示領域での表示を終了しているかどうかを判定することができる。ステップ１６３５で、目印が終了していないと結論したときは、方法１６００は、ステップ１６１５に戻って、入力が受信されたかどうかを判定することができる。ステップ１６３５で、目印が効果的な表示領域を脱したと結論したときは、方法１６００は、後述するステップ１６４０に進む。ステップ１６１５で、入力が受信されていると結論したときは、方法１６００は、ステップ１６２０に進んで、受信された入力が表示される目印の特性に正しく応答しているかどうかを判定することができる。入力が正しくないとの結論のときは、方法１６００は、ステップ１６４０に進んで、テストを終了するかどうかを判定することができる。ステップ１６４０で、テストが終了していないと結論したときは、方法１６００は、ステップ１６４５に進んで、目印が動く既定の率を減少させ、その後、ステップ１６１０に戻って、今ステップ１６４５で減少させた既定の率で動く視覚的特性を有する目印を表示することができる。ステップ１６２０で、正しい入力が受信されると結論したときは、方法１６００は、ステップ１６２５に進んで、テストを終了するかどうかを判定することができる。ステップ１６２５で、テストを終了していないと結論したときは、方法１６００は、ステップ１６３０に進んで、既定の率を増大させる。ステップ１６００は、その後、ステップ１６１０に戻って、既定の率で動く視覚的特性を有する目印を表示することができ、このときは、ステップ１６３０で増加させた既定の率を利用している。ステップ１６２５またはステップ１６４０のいずれかで、テストを終了したと結論したときは、方法１６００は、ステップ１６５０に進んで、対象者の視覚的追跡能力を計算することができる。ステップ１６５０では、対象者の動体視力の測定値を与えることができる。
【００４４】
図１７には、対象者の動体視力をテストおよび／またはトレーニングするためのさらなる方法１７００が示されている。ステップ１７０５では、対象者に表示するための目印のサイズを決定することができる。ステップ１７０５では、明細書に記載の、任意の静止視力テストおよび／またはトレーニング方法を利用することができ、又は、従来の視力検査表テストのような、静止視力をテストおよび／またはトレーニングするための任意の方法を使用することができる。ステップ１７１０では、視覚的特性が変化する目印を既定の率で動かしながら表示することができる。ステップ１７１５では、目印の視覚的特性を監視するとともに応答入力を与えるためのプロンプトとして、第２の刺激を対象者に与えることができる。ステップ１７１５でのプロンプトとして与えられた第２の刺激は、変化する視覚的目印を取り囲んで表示されるボックスのように、視覚を利用したものでもよいし、聴覚又は対象者の他の感覚を利用してもよい。方法１７００は、それからステップ１７２０に進んで、入力が受信されたかどうかを判定することができる。ステップ１７２０で、入力が受信されていないと結論したときは、方法１７００は、ステップ１７４０に進んで、応答時間が経過したかどうかを判定することができる。応答時間は、例えば、ステップ１７１５で出されたプロンプトの継続時間によって定義することができるが、動く目印が表示装置での表示を終了したかどうかのような、他のタイムフレームを利用することができる。ステップ１７４０で、応答時間を経過していないと結論したときは、方法１７００は、ステップ１７２０に戻って、入力が受信されたかどうかを判定することができる。ステップ１７４０で、応答時間を経過したと結論したときは、方法１７００は、ステップ１７４５に進んで、テストを終了したかどうかを判定することができる。ステップ１７４５は、さらに以下で扱われる。ステップ１７２０で、入力が受信されたと結論したときは、方法１７００は、ステップ１７２５に進んで、受信された入力が応答期間中に表示された目印の特性に正しく応答したものかどうかを判定することができる。ステップ１７２５で、受信された入力が目印の特性に正しく応答していないと結論したときは、方法１７００は、ステップ１７４５に進んで、テストおよび／またはトレーニングセッションを終了したかどうかを判定することができる。ステップ１７４５で、テストを終了していないと結論したときは、方法１７００は、ステップ１７５０に戻って、規定の率を減少させることができる。その後、ステップ１７００は、ステップ１７１０に戻って、既定の率で動く目印を表示することができ、今は、ステップ１７５０で減少させた既定の率を使用している。ステップ１７２５の結果、正しい応答が受信されたときは、方法１７００は、ステップ１７３０に進んで、テストを終了したかどうかを判定することができる。ステップ１７３０で、テストおよび／またはトレーニングセッションを終了していなかったと結論したときは、方法１７００は、ステップ１７３５に進んで、既定の率を増大させることができる。その後、ステップ１７００では、ステップ１７１０に戻って、既定の率で動く視覚的特性を有する目印を表示し、このとき、ステップ１７３５で増大させた既定の率を利用する。ステップ１７３０またはステップ１７４５のいずれかで、テストを終了したと結論したときは、方法１７００は、ステップ１７５５に進んで、対象者の視覚的追跡能力を計算することができ、これは、対象者の動体視力を定量化することを含んでもよい。
【００４５】
図１８には、対象者の動体視力をテストおよび／またはトレーニングするための方法１８００が示されている。ステップ１８１０では、正しい入力の各々に対して動きの既定の率を記録することができる。ステップ１８２０では、正しい入力の全てに対しての、動きの既定の率の平均値を算出することができる。ステップ１８００は、対象者の動体視力をテストおよび／またはトレーニングするための明細書に記載した任意の方法と組み合わせて使用することができる。
【００４６】
図１９には、対象者の動体視力をテストおよび／またはトレーニングするための、さらなる方法１９００が示されている。ステップ１９１０では、テストおよび／またはトレーニングセッションの終了のために要求される正しい入力の全数を定義することができる。ステップ１９２０では、受信される正しい入力の数に、インクリメンタルカウントを維持することができる。ステップ１９３０では、方法１９００は、正しい応答のカウントがステップ１９１０で定義された正しい入力の全数に達したかどうかを判定するために続行することができる。ステップ１９３０で、カウントが定義された全数に達しないと結論したときは、方法１９００は、ステップ１９４０に進んで、テストおよび／またはトレーニングセッションを継続することができる。ステップ１９３０で、カウントが定義された数の全体に達したと結論したときは、方法１９００は、ステップ１９５０に進んで、テストおよび／またはトレーニングセッションを終了したと判定することができる。
【００４７】
図２０には、対象者の動体視力をテストおよび／またはトレーニングするための、さらなる方法２０００が示されている。ステップ２０１０では、セッションを終了する前に要求される正しい入力の全数が定義される。ステップ２０２０では、ある既定の率で生じる正しい入力のパーセンテージが定義される。ステップ２０３０では、正しいとき、反復を漸次カウントする。ステップ２０４０では、正しい入力それぞれに対してステップ２０３０でカウントされた目印の動きの既定の率を記録する。ステップ２０５０では、ある既定の率に対する正しい入力のパーセンテージが計算される。ステップ２０６０では、方法２０００は、カウントが、定義された正しい入力の全数に達しているかどうかを判定する。ステップ２０６０で、カウントが定義された数の全体に達していないと結論したときは、方法２０００は、テストを継続するためにステップ２０７０に進み、その後、正しい入力が受信されたときに正しいカウント全体を増やし続けることができる。ステップ２０６０で、カウントが、定義された正しい応答の全数に達したと結論したときは、方法２０００は、ステップ２０８０に進むことができる。ステップ２０８０では、ある既定の率に対する正しい応答のパーセンテージが、ステップ２０２０で定義されたパーセンテージと同等またはそれよりも大きいかどうかを判定することができる。ステップ２０８０で、正しい応答のパーセンテージが既定のパーセンテージに達していないと結論したときは、方法２０００は、ステップ２０７０に進んで、テストを継続することができる。ステップ２０８０で、ある既定の率に対する正しい応答のパーセンテージが所定のパーセンテージに達したか超えたと結論したときは、方法２０００は、ステップ２０９０に進んで、テストを終了したと結論する。
【００４８】
図２１には、適応性のある目印を使用して視覚的な感度をテストおよび／またはトレーニングするための本発明に従う更なる方法２１００が示されている。ステップ２１１０では、目印サイズの範囲、最小目印サイズおよび最大目印サイズを定義することができる。ステップ２１１０での定義は、ピクセル数、表示装置上の目印の物理的な絶対寸法、目印が占める対象者の視点からの視野、または、目印のサイズを示す任意の方法でもよい。ステップ２１２０では、既定のサイズを有する目印が、初めて対象者に表示される。ステップ２１２０で目印が表示された後、方法２１００は、ステップ２１３０に進んで、入力が受信されたかどうかを判定する。入力が受信されないときは、ステップ２１３２で、タイムアウトが生じたかどうかを判定する。本発明に従うシステムがタイムアウトを生じる前に対象者からの入力を受信するのを待つことができる継続時間は、対象者の要求、視覚的感度テストおよび／またはトレーニングを提供するときのこれらの要求、対象者の熟練度または、他の要因を基に変更することができる。ステップ２１３２で、タイムアウトが生じてないと結論したときは、方法２１００は、ステップ２１３０で入力を受信するまで待ち続けることができる。ステップ２１３２で、タイムアウトが生じたと結論したときは、方法２１００は、ステップ２１３４に進んで、ストレージ装置でタイムアウトを記録する。タイムアウト状態を記録するステップ２１３４では、表示される目印のサイズ、表示される目印が有する向きまたは他の特性、テストおよび／またはトレーニングに参加している対象者を識別する情報、または、他の任意の情報のような、タイムアウトの状況を記録することができる。ステップ２１３０で、入力が受信されたと結論したときは、方法２１００は、ステップ２１４０に進んで、入力が正しかったかどうかを判定する。例えば、入力が、表示される視覚的目印の有する特性を正しく識別することができる。もし、入力が間違っていたときは、方法２１００は、ステップ２１４２に進んで、間違った応答を記録する。タイムアウトを記録するステップ２１３４と同様、間違った応答を記録するステップ２１４２はさらに、間違った応答が受信された状況と時間に関する追加的な情報を記録することができる。ステップ２１３４とステップ２１４２のいずれかの後、方法２１００は、ステップ２１５０に進んで、連続して間違った応答のカウント（このようなカウントが要求されるべき）をインクリメントすることができる。ステップ２１５０でインクリメントされ維持されるかもしれないような、間違った応答のカウントは、目印サイズを増大させるか、テストおよび／またはトレーニングが個人の視覚的な最小閾値に達したと最終的に結論するかどうかを判定するために使用することができる。方法２１００はそれから、ステップ２１５２に進んで、目印サイズを増大させるかどうかを判定することができる。ステップ２１５２は、例えば、ある目印サイズで対象者によって与えられる連続して間違った応答の数を基にすることができる。例えば、対象者によって与えられる連続して間違った応答が２回未満のときは、ステップ２１５２では、方法２１００の更なる反復に対して表示される目印のサイズを増大させないことを判定することができ、その場合、方法２１００は、ステップ２１２０に戻って、同じ既定のサイズを有する目印を表示することができる。ステップ２１５２で、目印サイズを増大させるべきと結論したときは、方法２１００は、ステップ２１５４に進んで、目印サイズがすでに、予めステップ２１１０で定義されたように、最大化されたかどうかを判定することができる。ステップ２１５４で、目印サイズがすでに最大化していると結論したときは、方法２１００は、ステップ２１７０に進んで、対象者の視覚的な感度は、対象者が所定の最大目印サイズを正確に知覚して応答するための感度以上にはよくないとして、当該感度を記録することができる。ステップ２１５４で、目印サイズがすでに最大化していないと結論したときは、方法２１００は、ステップ２１５６に進んで、目印を既定のサイズに増大させることができる。ステップ２１５６で、目印が既定のサイズに増大した後、方法２１００は、ステップ２１２０に戻って、ステップ２１５６で定義されたときの増大されたサイズの目印を使用することで、既定のサイズを有する目印を表示する。ステップ２１５６は、目印サイズの増加量を、図５Ｂと類似の階段状のステップ関数を使用する等、任意の様々な方法で決定することができる。
【００４９】
しかしながら、ステップ２１４０で、正しい入力が受信されたと結論したときは、方法２１００は、ステップ２１４４に進んで、正しい応答を記録することができる。ステップ２１４４は、ステップ２１３４および２１４２で記録すると同様、正しい応答の状況および時間に関する追加的な情報を記録することができる。方法２１００はそれから、ステップ２１６０に進んで、連続して正しい応答のカウントをインクリメントすることができる。連続して間違った応答のカウントがステップ２１５０でインクリメントされ続けたときと同様に、連続してインクリメントされる正しい応答のカウントがステップ２１６０でインクリメントされ続けられるときは、表示される視覚的目印のサイズを増大させるとき、および／または、テストおよび／またはトレーニング目的のために判定される対象者の視覚的な感度を判定するときを判定するために利用することができる。例えば、方法２１００は、ステップ２１６２に進んで、対象者の視覚的な感度を定義するためのサイズが識別されたかどうかを判定することができる。ステップ２１６２では、例えば、対象者が１またはそれ以上の間違った応答を与えるときのサイズに達するまでもなく、先に記録された正しい応答、間違った応答およびタイムアウトの応答を利用して、最後の正しい応答に対する目印のサイズを減少させることができないと結論することができる。ステップ２１６２で、対象者の視覚的な感度を定義するための目印のサイズが識別されたと結論したときは、方法２１００は、ステップ２１７０に進んで、視覚的な感度を記録することができる。ステップ２１６２で、対象者の視覚的な感度を定義するための目印のサイズがまだ識別されていないと結論したときは、方法２１００は、ステップ２１６４に進んで、目印サイズを減少させるかどうかを判断することができる。ステップ２１６４では、例えば、ステップ２１６０でインクリメントされた連続した応答のカウントを、先に図５Ｂで示した例での、２つの連続した正しい応答のような、既定数の連続した応答の場合に限り、次に表示される目印のサイズに減少させるために利用する。ステップ２１６４で、目印サイズを減少させるべきでないと結論したときは、方法２１００は、ステップ２１２０に戻って、既定のサイズを有する目印を表示することができる。ステップ２１６４で、目印サイズをさらに減少させるべきと結論したときは、方法２１００は、ステップ２１６６に進んで、目印サイズがすでに、ステップ２１１０で先に定義した最小サイズに達したかどうかを判定することができる。ステップ２１６６で、目印サイズがまだ最小化されていないと結論したときは、方法２１００は、ステップ２１６８に進んで、目印の既定のサイズを減少させることができる。ステップ２１６８では、目印サイズの減少量を、先の図５Ｂの例で示した階段状のアプローチ等の、任意の様々な方法で決定することができる。ステップ２１６８で目印の既定サイズを減少させた後、方法２１００は、ステップ２１２０に戻って、ステップ２１６８で決定した新たに減少させた所定サイズを使用して所定のサイズを有する目印を表示することができる。ステップ２１６６で、目印サイズがすでに最小化されていると結論したときは、方法２１００は、ステップ２１７０に戻って、最小目印サイズで定義された感度以下にあるとして、対象者の視覚的な感度を記録することができる。勿論、例示的な方法２１００の一部として示した様々なステップは、順番を変更することができ、また、いくつかは、完全に省略することができる。
【００５０】
図２２には、適応性のある目印を使用して対象者の視覚的な感度をテストおよび／またはトレーニングするための、さらなる方法２２００が示されている。ステップ２２１０では、複数の特性の少なくとも１つを有し、複数の特性がそれぞれ、対象者からの複数の入力の１つに対応するとともに、少なくとも１つの変更可能な特徴でそれぞれ、表示することができる、視覚的な目印を定義することができる。例えば、ステップ２２１０で、目印に対して定義される視覚的な特性には、ランドルト環の向き、文字または他の表示されるイメージの同一性を含むことができる。ステップ２２１０で定義された視覚的な目印の特徴は、目印の視覚的なサイズ、目印表示の継続時間、表示装置上の目印の位置、視覚的な背景に関連する目印のコントラスト、目印の色、目印の動きの状態などの特徴とすることができる。ステップ２２００は、それから、少なくとも１つの特性を有する視覚的な目印を対象者に最初に表示するステップ２２２０に進むことができるとともに、その表示は、少なくとも１つの特徴を持つことができる。ステップ２２００は、それからステップ２２３０に進んで、二度目に、表示される視覚的な目印の有する特性についての、対象者の知覚に応答する対象者からの入力を受信することができる。ステップ２２３０は、既定の時間量の間に表示される目印に応答することに対象者が失敗した結果、タイムアウトが生じたと判定することを含むことができる。ステップ２２４０では、表示される目印の特性および特徴を、対象者からの入力と、目印が表示された最初の時間と対象者からの入力が受信された二度目の時間との間の経過時間と同様に保存することができる。もし、タイムアウト状態がステップ２２３０で受信されたときは、その情報は、ステップ２２４０でも記録することができる。更に、ステップ２２４０では、対象者の同一性、日時、テストおよび／またはトレーニングセッションに関連付けられた他の視覚的な特性など、反復テストおよび／またはトレーニングに関する追加的な情報を記録および保存することができる。方法２２００は、ステップ２２５０に進んで、テストおよび／またはトレーニングが完了したかどうかを判定することができる。ステップ２２５０で、セッションが完了したと結論したときは、方法２２００は、ステップ２２６０に進んで、セッション結果の報告を提供することができる。ステップ２２６０で生成された報告は、方法２２００の使用を通して手に入れる対象者の視覚的な感度の評価を含んだ任意の程度の細目をもってテストおよび／またはトレーニングする間の対象者の遂行能力を記載することができる。ステップ２２６０で生成された報告は、ストレージ装置に入力されるデータベース、揮発性または不揮発性の電気記録装置の他の任意のタイプ、方法２２００で使用された同じ表示装置上に与えられた遂行能力の概要、他の表示装置上で表示される情報の概要、紙または他のメディアからの物理的なプリントアウトの結果、若しくは、報告の他の任意のタイプを含むことができる。ステップ２２５０で、セッションが完了しなかったと結論したときは、方法２２００は、ステップ２２７０に進んで、表示のための視覚的な目印の視覚的な特徴および／または特性を修正することができる。ステップ２２７０からの、視覚的な目印の特徴および／または特性の修正によって、方法２２００は、ステップ２２２０に戻って、修正された特徴および／または特性を有する初めての視覚的目印を表示することができる。
【００５１】
本明細書中に提供される実施例は、単に本発明の、ある態様を説明するのに役立つ。例えば、目印の種類には、文字、数字、通常の日常で取る写真などを含み、視覚的な目印として利用することができる。更に、対象者が最も正確に知覚する目印サイズの大きさを判定するために、任意の数の方法およびアプローチを利用することができ、同様に、対象者が目印を正しく知覚できるスピードを判定するために、一連の方法およびアプローチを使用することができる。更に、表示される目印は、多数の視覚的な特性を持つことができ、所望の特性の知覚は、本発明に従うテストの一部とすることができる。勿論、本発明は、表示装置、入力装置、テストユニット、ストレージ装置または他の装置の如何なる特定のタイプに限定されるものではない。更に、こうした任意の数の装置またはコンポーネントを使用することができ、本明細書に記載の、いくつかの装置またはコンポーネントは他と組み合わせることができ、または、多数の装置を実装した単一の装置とすることができる。
【誤訳訂正２】
【訂正対象書類名】特許請求の範囲
【訂正対象項目名】全文
【訂正方法】変更
【訂正の内容】
【特許請求の範囲】
【請求項１】
視覚的テストおよび／またはトレーニングのためのシステムであって、当該システムは;
少なくとも第１期間中、少なくとも１つの視覚的目印を与えることができる表示装置であって、少なくとも１つの前記目印は少なくとも１つの視覚的な特性を有する表示装置と;
前記表示装置に実行可能に接続される制御ユニットであって、前記表示装置が少なくとも１つの視覚的特性を有する少なくとも１つの視覚的目印を、少なくとも第１期間中に与えるように実行でき、与えられる前記目印のサイズを第１期間中に変更させる制御ユニットと;
個人が知覚した目印の特性と、与えられた目印の有する特性とを示す個人からの入力を第１期間中のある時点で受信することができる入力装置であって、受信された入力を制御ユニットに送信するために、当該制御ユニットに実行可能に接続される入力装置と；
を備えているシステム。
【請求項２】
対象者の視覚的な感度をテストおよび／またはトレーニングするための方法であって、当該方法は; 
(a)  対象者に視覚的な特性を有する視覚的な目印を表示することであって、表示される当該視覚的目印を、最初、対象者が知覚するためには小さすぎるようにするステップと; 
(b)  表示される視覚的な目印のサイズを増加させるステップと; 
(c)  対象者が視覚的目印の有する視覚的な特性を知覚したことを指示する対象者からの入力を受信するステップであって、当該入力は、対象者が知覚した視覚的な特性に依存しているステップと; 
(d)  入力が視覚的目印の有する視覚的な特性に応答しているかどうかを判定するために、表示される視覚的目印の有する視覚的な特性を、対象者から受信する入力と比較するステップと; 
(e)入力が対象者から受信されたときの目印のサイズと、入力が視覚的目印の有する視覚的な特性に応答しているかどうかを記憶するステップと；
を備えている方法。
【請求項３】
請求項２に記載の、対象者の視覚的な感度をテストおよび／またはトレーニングするための方法であって、
さらに、既定の回数、ステップ(a)-(e)を反復して繰り返すステップを含む方法。
【請求項４】
請求項３に記載の、対象者の視覚的な感度をテストおよび／またはトレーニングするための方法であって、
さらに、視覚的目印の有する視覚的特性に応答する入力を対象者から与えられたときに、目印の平均サイズを計算するステップを含む方法。
【請求項５】
請求項２に記載の、対象者の視覚的な感度をテストおよび／またはトレーニングするための方法であって、
さらに、視覚的目印の有する視覚的な特性に応答する入力が既定数に達するまで、ステップ(a)-(e)を反復して繰り返すステップを含む方法。
【請求項６】
請求項５に記載の、対象者の視覚的な感度をテストおよび／またはトレーニングするための方法であって、
さらに、視覚的目印の有する視覚的な特性に応答する入力が対象者から与えられたときに、目印の平均サイズを計算するステップを含む方法。
【請求項７】
請求項２に記載の、対象者の視覚的な感度をテストおよび／またはトレーニングするための方法であって、
さらに、視覚的目印の有する視覚的な特性に応答して受信される入力が、表示される視覚的目印の与えられたサイズで、一貫して発生するまで、ステップ(a)-(e)を反復して繰り返すステップを含む方法。
【請求項８】
請求項７に記載の、対象者の視覚的な感度をテストおよび／またはトレーニングするための方法であって、
視覚的目印の有する視覚的な特性に応答して受信される入力が、表示される視覚的目印の与えられたサイズで、一貫して発生するまで、ステップ(a)-(e)を反復して繰り返す前記ステップは；
関連する視覚的目印サイズの範囲を定義するステップと；
対象者が視覚的目印の有する視覚的特性に応答する入力を各反復に対して与えたときの目印のサイズを比較し、定義された関連する視覚的目印サイズの範囲内に含まれるパーセンテージがどのくらいかを判定するステップと；
所定数の反復の後、これら反復の既定のパーセンテージが定義された関連する目印サイズの範囲内に含まれるとき、対象者が正しく視覚的目印を知覚したことを指示する入力が、その範囲内での表示される視覚的目印のサイズに対応する、表示される視覚的目印のあるサイズについて一貫して生じているかどうかを判定するステップと；
を備えている方法。
【請求項９】
対象者の視力をテストするための視覚的感度のテストおよび／またはトレーニングシステムであって、当該システムは：
個人によって視覚的に知覚されるように向けられた表示装置と；
個人からの複数の想定入力の１つを実行可能に、与えられた任意の時間で受信することができる入力装置と；
表示装置と入力装置に実行可能に接続された制御ユニットとを備え、
当該制御ユニットは、少なくとも１つのコンピュータ読み取り媒体を含み、当該コンピュータ読み取り媒体上では、テスト用ユニットで実行されるコンピュータ読み取り命令を具現化し、当該コンピュータ読み取り命令は、制御ユニットが：
・表示装置を複数の視覚的目印を順次表示するように操作し、複数の視覚的目印はそれぞれ、入力装置を操作して受信される複数の入力に対応する複数の視覚的特性の１つを有し、複数の視覚的目印のそれぞれを、第１のサイズを有する第１の時間で最初に表示し、
・入力装置からの入力を受信し、各入力は、入力装置を操作して受信される複数の入力の１つであり、
・制御ユニットが入力装置からの入力を受信し、または、表示される視覚的目印のサイズが既定の閾値を越えるまで、表示装置を、当該表示装置が、順次表示される複数の視覚的目印のそれぞれのサイズを増大させるように操作し；
・入力装置から受信した入力が、当該入力が受信されたときに入力装置上に表示される視覚的目印の視覚的な特性に応答するかどうかを判定し；
・入力が受信されたときに表示装置上に表示される視覚的目印のサイズを判定し；
表示装置上に表示される視覚的目印の視覚的特性に対応する入力が受信されたかどうかを保存し；
・入力が入力装置から受信されたときに表示される視覚的目印のサイズを保存する；
ものであるシステム。
【誤訳訂正３】
【訂正対象書類名】図面
【訂正対象項目名】図１
【訂正方法】変更
【訂正の内容】
【図１】
2013500836.tif 000040
【誤訳訂正４】
【訂正対象書類名】図面
【訂正対象項目名】図９
【訂正方法】変更
【訂正の内容】
【図９】
2013500836.tif 000041
【誤訳訂正５】
【訂正対象書類名】図面
【訂正対象項目名】図１１−１
【訂正方法】変更
【訂正の内容】
【図１１−１】
2013500836.tif 000042
【誤訳訂正６】
【訂正対象書類名】図面
【訂正対象項目名】図１２
【訂正方法】変更
【訂正の内容】
【図１２】
2013500836.tif 000043
【誤訳訂正７】
【訂正対象書類名】図面
【訂正対象項目名】図１３
【訂正方法】変更
【訂正の内容】
【図１３】
2013500836.tif 000044
【訂正対象書類名】  図面
【訂正対象項目名】  図１４
【訂正方法】        変更
【訂正の内容】
【図１４】
2013500836.tif 000045
【訂正対象書類名】  図面
【訂正対象項目名】  図１６
【訂正方法】        変更
【訂正の内容】
【図１６】
2013500836.tif 000046
【訂正対象書類名】  図面
【訂正対象項目名】  図１７
【訂正方法】        変更
【訂正の内容】
【図１７】
2013500836.tif 000047
【訂正対象書類名】  図面
【訂正対象項目名】  図１８
【訂正方法】        変更
【訂正の内容】
【図１８】
2013500836.tif 000048
【訂正対象書類名】  図面
【訂正対象項目名】  図２０
【訂正方法】        変更
【訂正の内容】
【図２０】
2013500836.tif 000049
【訂正対象書類名】  図面
【訂正対象項目名】  図２１
【訂正方法】        変更
【訂正の内容】
【図２１】
2013500836.tif 000050
【訂正対象書類名】  図面
【訂正対象項目名】  図２２
【訂正方法】        変更
【訂正の内容】
【図２２】
2013500836.tif 000051
【国際調査報告】
2013500836.tif 000052